(57)【要約】      （修正有）【課題】患者装着センサアセンブリの構成を検出するためのシステム及び方法に関する技術を提供する。【解決手段】コンピュータシステムによって、特定のセンサアセンブリのセンサアセンブリデータを受信８０２し、コンピュータシステムによって、複数のセンサアセンブリ識別子を定義するセンサアセンブリ識別子情報にアクセス８０４し、コンピュータシステムによって、センサアセンブリデータに基づき特定のセンサアセンブリの特定のセンサアセンブリ識別子を識別８０６し、コンピュータシステムによって、特定のセンサアセンブリ識別子に基づき、特定のセンサアセンブリの構成情報を特定８０８することを含み、各センサアセンブリ識別子はそれぞれのセンサアセンブリと関連付けられる。【選択図】図８
2020081894.tif 000002
【特許請求の範囲】
【請求項１】
患者装着センサアセンブリの構成を検出するためのシステムであって、
センサアセンブリ、患者モニタリング装置、記憶ユニット、及びコントローラを備え、
前記センサアセンブリは、構成抵抗を含むアダプタと、センサ装置とを備え、
前記センサ装置は、
内部基準抵抗と、アナログ−デジタル変換（ＡＤＣ）回路と、センサ装置通信データを生成するように構成された第１通信ユニットと、を備え、
前記アナログ−デジタル変換（ＡＤＣ）回路は、基準電圧が印加されると、前記構成抵抗及び前記内部基準抵抗によって形成される抵抗分圧器から生じる電圧出力を測定電圧出力として測定するように構成され、
前記患者モニタリング装置は、前記センサ装置の前記第１通信ユニットを介して前記センサアセンブリと通信可能に結合され、前記患者モニタリング装置は、前記センサ装置の前記第１通信ユニットから前記センサ装置通信データを受信するように構成された第２通信ユニットを備え、
前記記憶ユニットは、マッピングデータを格納するように構成され、前記マッピングデータは、前記測定電圧出力とアダプタアセンブリ識別子との間の関連値を備え、
前記コントローラは、前記記憶ユニットと動作可能に結合し、前記マッピングデータ及び前記測定電圧出力に基づき、アダプタアセンブリを識別するように構成される、システム。
【請求項２】
前記センサアセンブリの前記センサ装置は、前記コントローラ及び前記記憶ユニットを備え、
前記センサアセンブリから前記患者モニタリング装置に送信される前記センサ装置通信データには、識別された前記アダプタアセンブリが含まれる、請求項１に記載のシステム。
【請求項３】
前記患者モニタリング装置は、前記コントローラ及び前記記憶ユニットを備え、
前記センサアセンブリから前記患者モニタリング装置に送信される前記センサ装置通信データには、前記抵抗分圧器から生じる前記測定電圧出力が含まれる、請求項１に記載のシステム。
【請求項４】
前記マッピングデータは、前記構成抵抗を示す前記測定電圧出力の第１範囲に関連付けられている、請求項１に記載のシステム。
【請求項５】
前記マッピングデータは、前記測定電圧出力の複数の範囲を含み、前記測定電圧出力の前記複数の範囲には前記測定電圧出力の前記第１範囲が含まれ、前記測定電圧出力の各範囲は、複数のセンサアセンブリの中の各センサアセンブリの異なる構成データに関連付けられていて、前記複数のセンサアセンブリの中の各センサアセンブリは固有の構成抵抗を含む、請求項４に記載のシステム。
【請求項６】
前記センサアセンブリは、前記複数のセンサアセンブリの中の特定のセンサアセンブリであって、前記患者モニタリング装置は、前記構成データに基づき、前記特定のセンサアセンブリのアプリケーション固有のパラメータを特定するように構成される、請求項５に記載のシステム。
【請求項７】
前記アプリケーション固有のパラメータは、前記特定のセンサアセンブリのリードの数を含む、請求項６に記載のシステム。
【請求項８】
前記患者モニタリング装置はディスプレイをさらに備え、前記アプリケーション固有のパラメータは、前記患者モニタリング装置の前記ディスプレイに表示されるグラフィカルコンテンツを指定するグラフィカル表示データを含む、請求項６に記載のシステム。
【請求項９】
前記アプリケーション固有のパラメータは、前記特定のセンサアセンブリのハーネス構成の種類を含む、請求項６に記載のシステム。
【請求項１０】
患者の皮膚に貼付されるように構成されたセンサアセンブリのセンサアセンブリ構成を識別するための方法であって、前記方法は、
コンピュータシステムによって、特定のセンサアセンブリのセンサアセンブリデータを受信し、
前記コンピュータシステムによって、複数のセンサアセンブリ識別子を定義するセンサアセンブリ識別子情報にアクセスし、
前記コンピュータシステムによって、前記センサアセンブリデータに基づき、前記特定のセンサアセンブリの特定のセンサアセンブリ識別子を識別し、
前記コンピュータシステムによって、前記特定のセンサアセンブリ識別子に基づき、前記特定のセンサアセンブリの構成情報を特定することを備え、
各センサアセンブリ識別子はそれぞれのセンサアセンブリと関連付けられている、方法。
【請求項１１】
前記センサアセンブリデータは、基準電圧が印加されると、構成抵抗及び内部基準抵抗によって形成される抵抗分圧器から生じる測定電圧出力を含み、前記構成抵抗は各センサアセンブリに対して固有である、請求項１０に記載の方法。
【請求項１２】
前記センサアセンブリデータは、特定の抵抗を指定する抵抗データを含む、請求項１０に記載の方法。
【請求項１３】
前記コンピュータシステムは患者モニタリング装置である、請求項１０に記載の方法。
【請求項１４】
前記センサアセンブリは、患者の皮膚に貼付されるように構成された電極アセンブリである、請求項１０に記載の方法。
【請求項１５】
前記構成情報は、前記特定のセンサアセンブリのリードの数を備える、請求項１０に記載の方法。
【請求項１６】
前記構成情報は、前記特定のセンサアセンブリのハーネス構成の種類を備える、請求項１０に記載の方法。
【請求項１７】
前記特定のセンサアセンブリの構成情報の特定は、前記コンピュータシステムによる、前記コンピュータシステムのディスプレイに表示される前記特定のセンサアセンブリのためのグラフィカルコンテンツを指定するグラフィカル表示データの生成を備える、請求項１０に記載の方法。
【請求項１８】
患者の皮膚に貼付されるように構成されたセンサアセンブリと共に使用するための患者モニタリング装置であって、前記装置は、
通信ユニット、記憶ユニット、及びコントローラを備え、
前記通信ユニットは、センサアセンブリからセンサ装置通信データを受信するように構成され、
前記記憶ユニットは、複数のセンサアセンブリ識別子を定義するセンサアセンブリ識別子情報を格納するように構成され、各センサアセンブリ識別子はそれぞれのセンサアセンブリと関連付けられていて、
前記コントローラは、前記記憶ユニットと動作可能に結合して、
特定のセンサアセンブリのセンサアセンブリデータを受信し、
前記記憶ユニットから前記センサアセンブリ識別子情報にアクセスし、
前記センサアセンブリデータに基づき、前記特定のセンサアセンブリの特定のセンサアセンブリ識別子を識別し、
前記特定のセンサアセンブリ識別子に基づき、前記特定のセンサアセンブリの構成情報を特定するように構成される、患者モニタリング装置。
【請求項１９】
前記センサアセンブリデータは、基準電圧が印加されると、構成抵抗及び内部基準抵抗によって形成される抵抗分圧器から生じる測定電圧出力を含み、前記構成抵抗は各センサアセンブリに対して固有である、請求項１８に記載の患者モニタリング装置。
【請求項２０】
前記センサアセンブリデータは、特定の抵抗を指定する抵抗データを含む、請求項１８に記載の患者モニタリング装置。
【請求項２１】
前記センサアセンブリは、患者の皮膚に貼付されるように構成された電極アセンブリである、請求項１８に記載の患者モニタリング装置。
【請求項２２】
前記構成情報は、前記特定のセンサアセンブリのリードの数を備える、請求項１８に記載の患者モニタリング装置。
【請求項２３】
前記構成情報は、前記特定のセンサアセンブリのハーネス構成の種類を備える、請求項１８に記載の患者モニタリング装置。
【請求項２４】
前記コントローラは、コンピュータシステムのディスプレイに表示される前記特定のセンサアセンブリのためのグラフィカルコンテンツを指定するグラフィカル表示データを生成するようにさらに構成される、請求項１８に記載の患者モニタリング装置。
【請求項２５】
患者の皮膚に貼付されるように構成されたセンサアセンブリのセンサアセンブリ構成を識別するための方法であって、
基準ピンで基準電圧を生成し、
複数のアダプタの中の特定のアダプタがセンサに接続されると、出力ピンで出力電圧を取得し、
コントローラによって、出力電圧に基づき、前記特定のアダプタのセンサアセンブリ識別子を識別し、
前記コントローラによって、複数のセンサアセンブリ識別子を定義するセンサアセンブリ識別子情報及び各アダプタの構成情報にアクセスし、
前記コントローラによって、前記特定のセンサアセンブリ識別子に基づき、前記特定のアダプタの構成情報を特定することを備え、
各アダプタは、各アダプタの基準ピン及び出力ピンに接続された固有の構成抵抗を備え、各センサアセンブリ識別子はそれぞれのセンサアセンブリと関連付けられている、方法。
【請求項２６】
前記センサアセンブリは、前記センサ及び前記アダプタを備える、請求項２５に記載の方法。
【請求項２７】
前記センサは前記コントローラを備える、請求項２５に記載の方法。
【請求項２８】
前記構成情報は、前記特定のセンサアセンブリのリードの数を備える、請求項２５に記載の方法。
【請求項２９】
前記構成情報は、前記特定のセンサアセンブリのハーネス構成の種類を備える、請求項２５に記載の方法。
【請求項３０】
前記センサアセンブリは、患者の皮膚に貼付されるように構成された電極アセンブリである、請求項２５に記載の方法。
【請求項３１】
構成抵抗を含むアダプタと、センサ装置とを備えるセンサアセンブリであって、前記センサ装置は、
内部基準抵抗と、アナログ−デジタル変換（ＡＤＣ）回路と、記憶ユニットと、コントローラと、を備え、
前記アナログ−デジタル変換（ＡＤＣ）回路は、前記アダプタが前記センサ装置に接続され基準電圧が印加されると、前記構成抵抗及び前記内部基準抵抗によって形成される抵抗分圧器から生じる出力電圧を測定するように構成され、
前記記憶ユニットは、複数のセンサアセンブリ識別子を定義するセンサアセンブリ識別子情報を格納するように構成され、各センサアセンブリ識別子は、それぞれのセンサアセンブリと関連付けられていて、
前記コントローラは、前記記憶ユニットと動作可能に結合して、
前記出力電圧に基づき、前記特定のアダプタのセンサアセンブリ識別子を特定し、
前記記憶ユニットから前記センサアセンブリ識別子情報にアクセスし、
前記特定のセンサアセンブリ識別子に基づき、前記特定のアダプタの構成情報を特定するように構成される、センサアセンブリ。
【請求項３２】
前記センサ装置は、センサ装置通信データを患者モニタリングシステムに送信するように構成された通信ユニットをさらに備え、前記センサ装置通信データは前記特定のアダプタの前記構成情報を備える、請求項３１に記載のセンサアセンブリ。
【請求項３３】
前記構成情報は、前記特定のセンサアセンブリのリードの数を備える、請求項３１に記載のセンサアセンブリ。
【請求項３４】
前記構成情報は、前記特定のセンサアセンブリのハーネス構成の種類を備える、請求項３１に記載のセンサアセンブリ。
【発明の詳細な説明】
【技術分野】
【０００１】
本発明は、センサアセンブリを識別するシステム、方法、患者モニタリング装置、及びセンサアセンブリに関する
【背景技術】
【０００２】
様々な種類の患者モニタリングシステムにおいて、患者の皮膚に対する直接型電気的インタフェースが必要である。患者の皮膚に対する直接型電気的インタフェースには、その皮膚の位置における電気的情報を感知するという応用や、その皮膚の位置で電流信号を注入するという他の応用もある。皮膚用電気的インタフェースを備えた装置の一例としては、他の機能の一つとして、患者の皮膚で感知された患者の心電図（ＥＣＧ）情報を収集し、その収集されたＥＣＧ情報を示すデータを無線送信して、病院、診療所、又は自宅モニタリングシステムなどの別のシステムで受信できる患者装着センサ装置がある。このウェアラブルＥＣＧセンサ装置の例において、この装置は、第１に、複数の個別電極を有する粘着性電極アセンブリを典型的に備え、この電極アセンブリは患者の皮膚に取り付けられるように適合され、また第２に、感知、処理、及び通信電子機器のすべて、ならびに内蔵型センサ送信装置用の電源を備えるセンサアセンブリを備える。この場合、電極アセンブリは、直接型電気的インタフェース及び患者の皮膚への接着、ならびにセンサアセンブリと接続して支持するプラットフォームを提供する。
【０００３】
別の種類の皮膚用電極アセンブリは、電気リード（つまり、長い電線）によって離れたモニタリングシステムに接続するように適合され、患者がモニタリングシステムに「つながれた」状態での使用が意図される。この電極アセンブリの例において、患者装着アセンブリは典型的に、患者の皮膚に接着するように適合された１つ以上の電極を有する電極アセンブリと、電極アセンブリの電極に対応する数の接点を備えた対応するコネクタアセンブリとを備える。このコネクタアセンブリは、モニタリングシステムのリードと接続し、電極アセンブリの１つ以上の電極と、離れたモニタリングシステムの感知及び処理回路との間の電気接続を提供できるように適合される。
【発明の概要】
【発明が解決しようとする課題】
【０００４】
本明細書は、患者装着センサアセンブリの構成を検出するためのシステム及び方法に関する技術を記載する。
【課題を解決するための手段】
【０００５】
患者装着センサアセンブリは、患者のバイタルサインの検出、記録、及び通信に使用され、信号品質の向上、信号ノイズの低減、患者の快適性の向上、信頼性の向上、及び患者の皮膚への接着の向上を可能にするいくつかの構造的特徴を備える。この患者装着センサは、血圧、体温、呼吸数、血中酸素濃度、心調律（ＥＣＧを介した）、心拍数、血糖値、及び生体インピーダンスレベルなどのバイタルサイン情報を追跡できる。患者装着センサはまた、患者の動き、活動、及び睡眠パターンを含む患者に関する付加的な情報を追跡及び記録することができる。
【０００６】
概して、本明細書に記載された主題の１つの革新的な態様は、センサアセンブリ、患者モニタリング装置、記憶ユニット、及びコントローラを備える、患者装着センサアセンブリの構成を検出するためのシステムで実施することができる。センサアセンブリは、構成抵抗を備えるアダプタと、センサ装置とを備え、センサ装置は、内部基準抵抗と、アナログ−デジタル変換（ＡＤＣ）回路と、センサ装置通信データを生成するように構成された第１通信ユニットとを備え、アナログ−デジタル変換（ＡＤＣ）回路は、基準電圧が印加されると、構成抵抗及び内部基準抵抗によって形成される抵抗分圧器から生じる電圧出力を測定するように構成される。患者モニタリング装置は、センサ装置の第１通信ユニットを介してセンサアセンブリと通信可能に結合され、センサ装置の第１通信ユニットからセンサ装置通信データを受信するように構成された第２通信ユニットを備える。記憶ユニットは、測定電圧出力とアダプタアセンブリ識別子の間の関連値を含むマッピングデータを格納する。コントローラは、記憶ユニットと動作可能に結合し、マッピングデータ及び測定電圧出力に基づき、アダプタアセンブリを識別するように構成される。
【０００７】
これら及び他の態様はそれぞれに、１つ以上の以下の特徴を任意選択的に備えることができる。センサアセンブリのセンサ装置は、コントローラ及び記憶ユニットを備えることができ、センサアセンブリから患者モニタリング装置に送信されるセンサ装置通信データには、識別されたアダプタアセンブリが含まれる。患者モニタリング装置は、コントローラ及び記憶ユニットを備えることができ、センサアセンブリから患者モニタリング装置に送信されるセンサ装置通信データには、抵抗分圧器から生じる測定電圧出力が含まれる。マッピングデータは、構成抵抗を示す測定電圧出力の第１範囲に関連付けられている。マッピングデータは、測定電圧出力の複数の範囲を含むことができ、測定電圧出力の複数の範囲には測定電圧出力の第１範囲が含まれ、測定電圧出力の各範囲は、複数のセンサアセンブリの中の各センサアセンブリの異なる構成データに関連付けられていて、複数のセンサアセンブリの中の各センサアセンブリは固有の構成抵抗を含む。センサアセンブリは、複数のセンサアセンブリの中の特定のセンサアセンブリであることができ、患者モニタリング装置は、構成データに基づき、特定のセンサアセンブリのアプリケーション固有のパラメータを特定するように構成される。アプリケーション固有のパラメータは、特定のセンサアセンブリのリードの数を含むことができる。患者モニタリング装置は、ディスプレイをさらに備えることができる。アプリケーション固有のパラメータは、患者モニタリング装置のディスプレイに表示されるグラフィカルコンテンツを指定するグラフィカル表示データをさらに含むことができる。アプリケーション固有のパラメータは、特定のセンサアセンブリのハーネス構成の種類をさらに含むことができる。
【０００８】
概して、本明細書に記載された主題の１つの革新的な態様は、コンピュータシステムによって、特定のセンサアセンブリのセンサアセンブリデータを受信し、コンピュータシステムによって、複数のセンサアセンブリ識別子を定義するセンサアセンブリ識別子情報にアクセスし、コンピュータシステムによって、センサアセンブリデータに基づき、特定のセンサアセンブリの特定のセンサアセンブリ識別子を識別し、コンピュータシステムによって、特定のセンサアセンブリ識別子に基づき、特定のセンサアセンブリの構成情報を特定することを備える方法で実施することができ、各センサアセンブリ識別子はそれぞれのセンサアセンブリと関連付けられている。この態様の他の実施形態には、対応するシステム、機器、及び本方法の動作を実行するように構成され、コンピュータ記憶装置にエンコードされたコンピュータプログラムが含まれる。
【０００９】
これら及び他の態様は、それぞれに１つ以上の以下の特徴を任意選択的に備えることができる。センサアセンブリデータは、基準電圧が印加されると、構成抵抗及び内部基準抵抗によって形成される抵抗分圧器から生じる測定電圧出力を含むことができ、構成抵抗は各センサアセンブリに対して固有である。センサアセンブリデータは、特定の抵抗を指定する抵抗データを含むことができる。コンピュータシステムは患者モニタリング装置であってもよい。センサアセンブリは、患者の皮膚に貼付されるように構成された電極アセンブリであってもよい。構成情報は、特定のセンサアセンブリのリードの数を備えることができる。構成情報は、特定のセンサアセンブリのハーネス構成の種類を備えることができる。特定のセンサアセンブリの構成情報の特定は、コンピュータシステムによる、コンピュータシステムのディスプレイに表示される特定のセンサアセンブリのためのグラフィカルコンテンツを指定するグラフィカル表示データの生成をさらに備えることができる。
【００１０】
概して、本明細書に記載された主題の１つの革新的な態様は、患者の皮膚に貼付されるように構成されたセンサアセンブリと共に使用するための、通信ユニット、記憶ユニット、及びコントローラを備える患者モニタリング装置で実施することができる。通信ユニットは、センサアセンブリからセンサ装置通信データを受信するように構成される。記憶ユニットは、複数のセンサアセンブリ識別子を定義するセンサアセンブリ識別子情報を格納するように構成され、各センサアセンブリ識別子はそれぞれのセンサアセンブリと関連付けられている。コントローラは、記憶ユニットと動作可能に結合し、特定のセンサアセンブリのセンサアセンブリデータを受信し、記憶ユニットからセンサアセンブリ識別子情報にアクセスし、センサアセンブリデータに基づき、特定のセンサアセンブリの特定のセンサアセンブリ識別子を識別し、特定のセンサアセンブリ識別子に基づき、特定のセンサアセンブリの構成情報を特定するように構成されている。
【００１１】
これら及び他の態様はそれぞれに１つ以上の以下の特徴を任意選択的に備えることができる。センサアセンブリデータは、基準電圧が印加されると、構成抵抗及び内部基準抵抗によって形成される抵抗分圧器から生じる測定電圧出力を含むことができ、構成抵抗は各センサアセンブリに対して固有である。センサアセンブリデータは、特定の抵抗を指定する抵抗データを含むことができる。センサアセンブリは、患者の皮膚に貼付されるように構成された電極アセンブリであってもよい。構成情報は、特定のセンサアセンブリのリードの数を備えることができる。構成情報は、特定のセンサアセンブリのハーネス構成の種類を備えることができる。コントローラは、コンピュータシステムのディスプレイに表示される特定のセンサアセンブリのためのグラフィカルコンテンツを指定するグラフィカル表示データを生成するようにさらに構成されることができる。
【００１２】
概して、本明細書に記載された主題の１つの革新的な態様は、患者の皮膚に貼付されるように構成されたセンサアセンブリのセンサアセンブリ構成を識別するための方法で実施することができ、この方法は、基準ピンで基準電圧を生成し、複数のアダプタの中の特定のアダプタがセンサに接続されると、出力ピンで出力電圧を取得し、コントローラによって、出力電圧に基づき、特定のアダプタのセンサアセンブリ識別子を識別し、コントローラによって、複数のセンサアセンブリ識別子を定義するセンサアセンブリ識別子情報及び各アダプタの構成情報にアクセスし、コントローラによって、特定のセンサアセンブリ識別子に基づき、特定のアダプタの構成情報を特定することを備え、各アダプタは、基準ピン及びアダプタの出力ピンに接続された固有の構成抵抗を備え、各センサアセンブリ識別子はそれぞれのセンサアセンブリと関連付けられている。この態様の他の実施形態は、対応するシステム、機器、及び本方法の動作を実行するように構成され、コンピュータ記憶装置にエンコードされたコンピュータプログラムを含む。
【００１３】
これら及び他の態様はそれぞれに、１つ以上の以下の特徴を任意選択的に備えることができる。センサアセンブリは、センサ及びアダプタを備えることができる。センサはコントローラを備えることができる。構成情報は、特定のセンサアセンブリのリードの数を備えることができる。構成情報は、特定のセンサアセンブリのハーネス構成の種類を備えることができる。センサアセンブリは、患者の皮膚に貼付されるように構成された電極アセンブリであってもよい。
【００１４】
概して、本明細書に記載された主題の１つの革新的な態様は、構成抵抗を備えるアダプタと、センサ装置とを備えるセンサアセンブリで実施することができ、センサ装置は、内部基準抵抗と、ＡＤＣ回路と、記憶ユニットと、コントローラとを備え、ＡＤＣ回路は、アダプタがセンサに接続され基準電圧が印加されると、構成抵抗及び内部基準抵抗によって形成される抵抗分圧器から生じる電圧出力を測定するように構成され、記憶ユニットは、複数のセンサアセンブリ識別子を定義するセンサアセンブリ識別子情報を格納するように構成され、各センサアセンブリ識別子は、それぞれのセンサアセンブリと関連付けられていて、コントローラは、記憶ユニットと動作可能に結合し、出力電圧に基づき、特定のアダプタのセンサアセンブリ識別子を特定し、記憶ユニットからセンサアセンブリ識別子情報にアクセスし、特定のセンサアセンブリ識別子に基づき、特定のアダプタの構成情報を特定するように構成される。
【００１５】
これら及び他の態様はそれぞれに、１つ以上の以下の特徴を任意選択的に備えることができる。センサアセンブリは、センサ及びアダプタを備えることができる。センサはコントローラを備えることができる。構成情報は、特定のセンサアセンブリのリードの数を備えることができる。構成情報は、特定のセンサアセンブリのハーネス構成の種類を備えることができる。センサアセンブリは患者の皮膚に貼付されるように構成された電極アセンブリであってもよい。
【発明の効果】
【００１６】
本明細書に記載される主題の特定の実施形態は、１つ以上の以下の利点を実現するように実施することができる。プラグアンドプレイ機能を提供するために、ＡＤＣ回路を使用して患者装着センサアセンブリの構成を自動的に検出することは、医療従事者にとっていくつかの利点を与える。例えば、医療従事者が、現在のセンサアセンブリを異なる機能を有するセンサアセンブリと交換する（すなわち、酸素飽和度を測定するために指センサを加える）ことを求めた場合、システムはアプリケーション固有のパラメータで自動的に更新され、ベッドサイドモニタは追加のユーザインタフェース測定値を提供する。医療従事者は、ベッドサイドモニタで適切な構成設定を探す必要がなく、医療従事者が接続したセンサアセンブリの種類に合わせてシステムが自動的に調整することによる恩恵を受ける。したがって、医療従事者は患者ケアにより多くの時間を費やすことができ、新たなセンサアセンブリを接続する際、システムの再構成に要する時間を削減できる。さらに、このようなシステムによって、複数の異なるセンサアセンブリの構成において一貫性のあるセンサアセンブリの部分を、様々な異なるセンサアセンブリ装置で再利用することが可能になり、それにより手元に保管して維持する必要のある備品の量を削減できる。またこのようなシステムによって、従来の患者モニタリングシステムにおける様々な患者モニタリング処理の提供に必要な構成要素の量が削減されると同時に、数多くの患者モニタリングシナリオでの使用における柔軟性が向上する。
【００１７】
本明細書に記載するいくつかの態様によれば、接続されたセンサアセンブリの構成を自動的に検出し、それに応じてベッドサイドモニタのアプリケーションパラメータを更新することで、帯域幅の使用が制御され、プロセッサ効率の向上が可能になる。例えば、特定のアプリケーションに必要なセンサアセンブリがショートリードＥＣＧ測定のみを必要とする場合、システムは、体温及び血中酸素飽和度の測定を継続的に求めることや、患者の動きを追跡するための加速度計データを取得しようとすることはない。これにより帯域幅及び計算資源をより効率的に利用することができる。
【００１８】
本明細書に記載される主題の１つ以上の実施形態の詳細は、添付の図面及び以下の説明に記載される。本主題の他の特徴、態様、及び利点は説明、図面、及び特許請求の範囲から明らかになる。
【図面の簡単な説明】
【００１９】
【図１】図１は、患者装着センサアセンブリを使用する患者に関連する情報を追跡及び監視するための例示的なシステムを示す。
【図２】図２は、患者装着センサアセンブリの例示的な斜視図を示す。
【図３Ａ】図３Ａは、ベッドサイドモニタと通信する例示的な患者装着センサアセンブリのブロック図である。
【図３Ｂ】図３Ｂは、ベッドサイドモニタと通信する例示的な患者装着センサアセンブリのブロック図である。
【図４】図４Ａ及び図４Ｂは、患者装着センサアセンブリの実施形態例を示す。
【図５】図５Ａ及び図５Ｂは、患者装着センサアセンブリの実施形態例を示す。
【図６】図６は、センサアセンブリを備える衣服の実施形態例を示す。
【図７Ａ】図７Ａは、センサアセンブリ情報及び患者情報を伝えるための例示的なディスプレイ画面を有するベッドサイドモニタと無線通信する患者装着センサを示す。
【図７Ｂ】図７Ｂは、センサアセンブリ情報及び患者情報を伝えるための例示的なディスプレイ画面を有するベッドサイドモニタと無線通信する患者装着センサを示す。
【図７Ｃ】図７Ｃは、センサアセンブリ情報及び患者情報を伝えるための例示的なディスプレイ画面を有するベッドサイドモニタと無線通信する患者装着センサを示す。
【図７Ｄ】図７Ｄは、センサアセンブリ情報及び患者情報を伝えるための例示的なディスプレイ画面を有するベッドサイドモニタと無線通信する患者装着センサを示す。
【図７Ｅ】図７Ｅは、センサアセンブリ情報及び患者情報を伝えるための例示的なディスプレイ画面を有するベッドサイドモニタと無線通信する患者装着センサを示す。
【図８】図８は、患者の皮膚に貼付されるように構成されたセンサアセンブリのセンサアセンブリ構成を識別するための例示的な処理のフロー図である。
【図９】図９は、患者の皮膚に貼付されるように構成されたセンサアセンブリのセンサアセンブリ構成を識別するための例示的な処理のフロー図である。
【発明を実施するための形態】
【００２０】
以下に説明されるのは、複数の固有の患者装着センサアセンブリのアプリケーション固有のパラメータ及び構成情報を自動的に識別するためのシステム及び方法である。各センサアセンブリは、各固有の製品構成に組み込まれた固有の抵抗値を有するアダプタを備える。例えば、各固有の構成は、ＥＣＧリードの数、センサアセンブリに取り付けられたセンサの種類、ＥＣＧリードへの測定値のマッピング及び関連する計算、特定の波形の表示内容、配置、グレー表示オプション、ならびに信号処理係数を指定することができる。センサアセンブリのアダプタが胸部センサ装置と電気的に接続している場合、システムは構成データを自動的に取得し、そのデータを、胸部センサ装置と通信可能に接続されたベッドサイドモニタシステムに提供することができる。
【００２１】
特に、この技術は、アダプタ内の構成抵抗と胸部センサの内部基準抵抗とによって形成される抵抗分圧器から生じる電圧を測定する、胸部センサ装置のアナログ−デジタル変換（ＡＤＣ）回路に焦点を当てている。ＡＤＣ回路は電圧値を捕捉し、特定の構成を示すためにマッピングされる数値出力を提供する。電気部品の許容誤差と測定ノイズのために、特定の構成は、１つの特定の値ではなく値の範囲で表される。続いて、ベッドサイドモニタに送信するために、ＡＤＣ値をパケット化してプロトコルデータストリームに挿入することができる。その後、ベッドサイドモニタは、データストリームを分析して、ＡＤＣ値に基づきセンサアセンブリの特定の構成を特定して、適切な後続動作を提供することができる。例えば、ベッドサイドモニタは、接続されている特定のセンサアセンブリのグラフィカルユーザインタフェース（ＧＵＩ）を更新すること、リードの数に基づき異なるプロトコルをＥＣＧに提供することなどが可能である。代替として、胸部センサ装置はＡＤＣ値を分析し、構成情報をベッドサイドモニタに提供することができる。
【００２２】
これらの特徴及び付加的な特徴を以下で詳細に説明する。
【００２３】
図１は、患者に関連する情報を追跡及び監視するための例示的なシステム１００を示す。システム１００を使用して、患者のバイタルサインを監視し、患者の活動を追跡し、患者の動きを追跡し、患者に関連する情報を記録し、患者ケアを調整し、医療提供者に最新の情報を提供することができる。システム１００は、患者の様々なバイタルサイン及び他の情報を検出し記録するための１つ以上の患者装着センサを備える。例えば、システム１００は、患者１０４の様々なバイタルサインを追跡するための、患者１０４の胸部に貼り付けられるセンサ１０２（胸部センサ）を備えることができる。システム１００は、システム１００の他の構成要素と相互作用して患者１０４の警告状態を識別することができる患者装着センサをさらに備えることができる。警告状態には、１人以上の介護者による介入を必要とする、又は必要としない、患者の様々な医学的状態又は医学的緊急事態を含むことができる。いくつかの実施形態では、患者１０４のバイタルサイン又は他のメトリクスの１つ以上の許容範囲外の逸脱に基づき、警告状態を識別できる。患者１０４又は注意を必要とするシステム１００の構成要素に関連する警告状態もしくは他の問題が検出されると、システムの１つ以上の構成要素は警報を発することができる。警報は、コンピューティング装置によって表示される警告状態又は他の問題に関する情報、１人以上の介護者に送信される通知、音声アラーム、視覚アラーム、触覚アラーム（振動など）、もしくは別の指示手段の形式を取ることができる。
【００２４】
胸部センサ１０２は、患者１０４の皮膚に接触して、心調律（ＥＣＧを介した）及び心拍数を含む患者の様々なバイタルサインを記録するための、接着性電極をいくつか備えることができる。胸部センサ１０２は、例えば、Ｉ、ＩＩ、ＩＩＩ、ａＶＬ、ａＶＲ、及びａＶＦリードを有する６リードＥＣＧセンサであってもよい。胸部センサ１０２によって監視される他のバイタルサインには、血圧、体温、呼吸数、血中酸素濃度、血糖値、水分補給レベル及び発汗を含むことができる。いくつかの実施形態では、胸部センサ１０２は、再利用可能な部分又は永久部分と共に、使い捨て部分を備えることができる。例えば、胸部センサ１０２は、患者から受信され、患者に関連して検出された信号を処理するための電気部品と、他の装置に情報を送信するための電気部品とを格納する永久ハウジングを備えることができる。胸部センサ１０２は、患者１０４の胸部に貼り付けるように設計された使い捨て接着性電極パッドをさらに備えることができる。使い捨て接着性電極パッドの一部として含まれる電極は、永久ハウジングの電気リードと接触し、患者１０４から胸部センサ１０２内の電気部品に信号を伝えるように構成される。いくつかの実施形態では、永久ハウジングは、使い捨て接着性電極パッドの電極と係合して、使い捨て接着性電極パッドを永久ハウジングに固定するためのスナップコネクタを備えることができる。使い捨て接着性電極パッドは、定期的に取り外して新しい使い捨て接着性電極パッドと交換することができ、その一方で、胸部センサ１０２の構成要素の多くは継続して再利用することができる。いくつかの実施形態では、胸部センサ１０２の永久部分は、取り外して他の構成要素と交換することができる、２つ以上の着脱可能に結合された構成要素を備えることができる。例えば、胸部センサ１０２の永久部分は回路アセンブリ部分を備えていてもよく、回路アセンブリ部分は、処理構成要素及び無線通信構成要素を備え、患者のバイタルサインの異なるセットを感知するために様々な異なる構成を有する様々なアダプタリードアセンブリと結合するように構成されている。
【００２５】
胸部センサ１０２はまた、患者１０４の水分補給レベル、体脂肪レベル、又は他の液体レベルを監視するために、生体インピーダンスを検出するためのセンサを備えることができる。いくつかの実施形態では、胸部センサ１０２は、患者１０４から収集されたバイタルサイン情報及び他の情報を処理及び分析するための電子機器を備えることができる。いくつかの実施形態では、胸部センサ１０２及び／又は他の患者装着センサは、さらなる処理及び分析のためにシステム１００の他の部分に送信される生の情報や前処理された情報を収集する。
【００２６】
いくつかの実施形態では、胸部センサ１０２は、患者１０４の体温を監視、追跡、及び記録するための、胸部センサ１０２の本体から患者１０４の腋窩の下まで延びる温度センサを備える。温度センサは、再利用可能な部分、及び一時的／使い捨て可能な部分の両方を備えることができる。例えば、温度センサは、患者１０４の腋窩の下で患者１０４の皮膚に貼り付けるための使い捨て接点を備えることができる。温度センサは、例えば、温度感知部分、患者から受信された温度データを解釈し処理する回路、ならびに患者１０４の胸部周辺の胸部センサ１０２の本体から患者１０４の腋窩まで走るケーブルを備える永久部分をさらに備えることができる。いくつかの実施形態では、温度センサは、患者１０４から収集された温度データを解釈する機能を備える代わりに、胸部センサ１０２の主ハウジングに含まれる回路、又はシステム１００の他の部分によって処理される生のデータを収集することができる。
【００２７】
いくつかの実施形態では、胸部センサ１０２は、患者の動き、活動、位置、及び姿勢を検出し記録するための１つ以上の加速度計を備える。例えば、胸部センサ１０２内に含まれる加速度計は、患者の活動を追跡することができ、介護者は、患者１０４が十分な日常運動を行っているか、又は患者１０４が、自身の現在の体調に対し過度の活動を行っていないかを判断することができる。加速度計を使用して、患者１０４が倒れたかどうか、又は患者１０４が特定の時間動かなかったかどうかを判断することもできる。例えば、加速度計は、患者が特定の時間よりも長く一定の姿勢にあることを判断することができ、これによりシステム１００が患者の警告状態を識別し、患者の警告状態に対応するよう介護者に喚起するために、１つ以上の警報を送信できる。追加又は代替として、加速度計は、患者の睡眠パターン、及び／又は患者１０４の姿勢を追跡するために使用され、これにより介護者は、座位、臥位、立位等における、より良い体勢の取り方を患者１０４に助言することが可能になる。さらに、加速度計は、患者１０４が再度負傷したり、合併症を発症したりするリスクを高める可能性のある活動又は習慣を行っていないかを判断するために使用される情報を、介護者に提供することができる。
【００２８】
胸部センサ１０２は、患者１０４の物理的位置を識別するための回路及び構成要素を備えることもできる。例えば、胸部センサ１０２は、ＧＰＳユニット又は無線信号三角測量に基づく位置特定装置を備えることができる。追加又は代替として、例えば、患者が特定の時間にいるべき場所にいない場合に、患者の位置を識別するために、胸部センサ１０２内に含まれるＧＰＳユニット又は他の位置特定回路が使用される。例えば、ＧＰＳユニットは、徘徊したり道に迷ったりしがちな、認知症又は他の精神疾患を患う患者の位置を特定するために使用される。別の例として、胸部センサ１０２内の加速度計によって患者１０４が倒れたと判断された場合、介護者が、患者１０４の倒れた場所をより容易に特定し、患者１０４のニーズに迅速かつ効果的に対応できるように、胸部センサ１０２は、患者１０４の位置を含む警報を、１人以上の介護者に送信することができる。
【００２９】
胸部センサ１０２の一部として備えることができる他の構成要素には、電源、ユーザ入力を受けるためのボタン又は他の入力機構、１つ以上の可聴アラーム又はスピーカ、及びディスプレイライト又はディスプレイ画面が含まれる。胸部センサ１０２の電源は、標準の使い捨て電池を収容できる電池パック、充電式電池、又は完全に充電された電池パックと交換できる取り外し可能な電池パックの形を取ることができる。胸部センサ１０２は、例えば、ボタン、キー、又はタッチスクリーンなどの入力機構をさらに備えることができる。入力機構により、患者１０４又は介護者は、胸部センサ１０２の設定を調整したり、様々なテスト（センサテスト、電池電力レベルテストなど）を実行したり、あるいは胸部センサ１０２の１つ以上のアラームをリセットすることができる。例えば、患者１０４又は介護者は、胸部センサ１０２上のボタンを押下することで、胸部センサ１０２の可聴アラームの消音や、胸部センサ１０２の点滅光アラームを停止させることが可能である。
【００３０】
胸部センサ１０２は、１つ以上の可聴アラーム又はスピーカを備えることもできる。胸部センサ１０２の一部として含まれるスピーカ又は他のノイズ発生ユニットは、特定の患者イベント発生時に可聴アラームを提供することができる。場合によっては、異なる種類の可聴アラームで異なる患者イベントを示してもよい。例えば、第１アラーム音は心停止を示し、第２アラーム音は患者１０４が倒れたことを示し、第３アラームは患者１０４の呼吸不整を示してもよい。場合によっては、胸部センサ１０２のボタン又は他の入力装置を使用して、可聴アラーム又は視覚アラームを一時停止又はリセットすることができる。胸部センサ１０２は、ディスプレイライト、ディスプレイ画面、又は他のディスプレイ機構を備えることもできる。例えば、１つ以上のＬＥＤライトによって、患者１０４の１つ以上のバイタルサインの現在の状態、又は胸部センサ１０２の１つ以上の構成要素の現在の状態を示すことができる。例えば、あるＬＥＤは胸部センサ１０２の電池量の低下を示すことができ、別のＬＥＤは通信ユニット（例えば、無線ＢＬＵＥＴＯＯＴＨ(登録商標)通信回路）の誤作動を示すことができる。さらに別の例として、胸部センサ１０２の一部として含まれるディスプレイ画面は、胸部センサ１０２によって収集された１つ以上のバイタルサイン又は他の情報の表示を提供することができる。例えば、ディスプレイ画面は、患者１０４の１つ以上のＥＣＧの示度を示すことができる。
【００３１】
場合によっては、胸部センサのボタン又は他の入力装置によって、患者１０４は、患者苦痛コールを開始することができる。例えば、患者１０４は、胸部センサ１０２上のボタンを選択することができ、それによって胸部センサ１０２は、無線通信を使用して、及び／又はネットワーク１１２を介した通信により、ベッドサイドモニタ１０８、又は別のコンピューティング装置に苦痛信号を通信することができる。例えば、患者１０４がボタンを押下すると、胸部センサ１０２は、看護ステーションに位置するコンピュータに苦痛信号を送信することができる。続いて、看護ステーションは、患者１０４が苦痛コールを開始したことを介護者に示すことができる。さらに、苦痛コールに関する情報を、苦痛コールがなされた時間の表示、ならびに苦痛コール時の患者のバイタルサイン及び他の情報と共に、記録及び保存することができる。
【００３２】
いくつかの実施形態では、胸部センサ１０２の１つ以上の入力装置は、胸部センサ１０２のマイク機能を開始することができる。例えば、患者１０４は、胸部センサ１０２上のボタンを選択して、胸部センサ１０２が備えるマイクを作動させることができる。マイクによって、患者１０４は、例えば、患者１０４が現在経験している症状又は最近経験した症状を示すために、音声記録を作成することができる。追加又は代替として、音声記録は、記録がなされた時間のタイムスタンプと共に記録され、胸部センサ１０２及び／又は胸部センサ１０２と通信する別のコンピューティング装置のコンピュータメモリに格納される。１人以上の介護者は、患者１０４を診断する際に、音声記録（例えば、患者１０４による症状の詳述を含むもの）を使用することができる。
【００３３】
いくつかの実施形態では、胸部センサ１０２のマイク機能は、患者１０４と、別の場所にいる介護者との間の一方向又は双方向の音声通信を容易にするために使用される。例えば、患者１０４は、胸部センサ１０２のボタンを選択して、胸部センサ１０２のマイクを作動させ、患者１０４及び胸部センサ１０２とは異なる物理的位置にあるコンピューティング装置にいる介護者との双方向音声通信セッションを開始することができる。例えば、患者１０４は、問題、症状、又は他の情報を看護師に伝えるために、病院の同階の看護ステーションにいる看護師と会話することができる。看護師は、患者１０４に返答することができる。例えば、胸部センサ１０２は、看護ステーションから送信された音声を出すためのスピーカを備えることができ、それによって看護師は、患者１０４に指示や慰めを与えることができ、もしくは患者１０４に助けが向かっていることを知らせることができる。
【００３４】
上記のように、システム１００の一部として含まれる患者装着センサは、手首センサ、指センサ、耳センサなどを備えることができる。各センサは、患者１０４の血圧及び血中酸素濃度（ＳｐＯ２）の追跡及び記録に使用できる。胸部センサ１０２と同様に、各センサは、再利用可能な部分及び使い捨て部分の両方を備えることができる。例えば、各センサは、患者１０４から受信された信号を処理するための再利用可能なハウジング及び回路、ならびに患者１０４の皮膚と接触する使い捨て部分を備えることができる。いくつかの実施形態では、手首センサは、手首センサから延び、患者１０４の１本以上の指と係合する指センサを備える。本明細書では、図４Ａ及び図４Ｂを参照して、指センサ４０２についてさらに説明する。指センサは、例えば、患者１０４の血中酸素濃度（ＳｐＯ２）の測定に使用される。いくつかの実施形態では、手首センサは、患者１０４の手首ではなく、患者１０４の上腕（肘より上）に取り付けられる上腕センサの形を取ることができる。上腕センサは、例えば、患者１０４の血圧測定に使用することができる。追加又は代替として、患者１０４の血中酸素濃度（ＳｐＯ２）の測定に耳センサを使用する。本明細書では、図５Ａ及び図５Ｂを参照して、耳センサ５０２についてさらに説明する。
【００３５】
胸部センサ１０２は、ベッドサイドモニタ１０８と通信して、胸部センサ１０２及び／又は他の患者装着センサによって収集された情報（例えば、患者のバイタルサイン、患者の活動、及び患者の位置）をベッドサイドモニタ１０８に伝えることができる。例えば、胸部センサ１０２は、ＢＬＵＥＴＯＯＴＨ(登録商標)技術を使用してベッドサイドモニタ１０８及び他の患者装着センサと無線で通信することができる。別の例として、胸部センサ１０２は、ＷｉＦｉプロトコル又はセルラープロトコルを使用してベッドサイドモニタ１０８と通信することができる。さらに別の例として、胸部センサ１０２は有線接続を使用してベッドサイドモニタ１０８と通信することができる。追加又は代替として、胸部センサ１０２はアダプタに接続されてセンサアセンブリを形成する。本明細書では、図２から図９を参照して、アダプタに接続された胸部センサを備えるセンサアセンブリについてさらに説明する。
【００３６】
いくつかの実施形態では、胸部センサ１０２とベッドサイドモニタ１０８との間の通信接続を使用して、ベッドサイドモニタ１０８から胸部センサ１０２に情報を中継することもできる。例えば、ベッドサイドモニタ１０８は、胸部センサ１０２及び／又は他の患者装着センサによって監視される心拍数、呼吸数、血中酸素濃度、又は他のバイタルサインの許容範囲などの、胸部センサ１０２の設定を変更するために使用される。別の例として、ベッドサイドモニタ１０８は、胸部センサ１０２による患者１０４の特定のバイタルサインの捕捉頻度及び送信頻度を変更するのに使用される。さらに別の例として、ベッドサイドモニタ１０８は、胸部センサ１０２及び／又はセンサアセンブリに接続された他のセンサの、１つ以上のバイタルサイン読取り構成要素の感度レベルを変更するのに使用される。
【００３７】
ベッドサイドモニタ１０８によって、介護者１１０（例えば、看護師、医師、用務員、理学療法士、又は他の介護者）は、患者１０４のリアルタイムのバイタルサイン、患者１０４の過去のバイタルサイン、胸部センサ１０２及び／又は他の患者装着センサによって提供される他の情報、あるいは患者１０４に関連する他の情報を見ることができる。例えば、ベッドサイドモニタ１０８は、患者１０４のＥＣＧ波形を表示できるのと同時に、患者１０４の現在の血中酸素濃度レベル、血圧、水分補給レベル、心拍数、呼吸数、及び体温を一覧に示すことができる。また介護者１１０は、ベッドサイドモニタ１０８を使用して、患者１０４に対する患者ケアに関するメモを作成したり、バイタルサイン情報又は他の患者情報に注記したり、他の介護者にメッセージを送信したり、又は患者の活動を記録したりもできる。例えば、介護者１１０は、ベッドサイドモニタ１０８を使用して、患者１０４が軽度の呼吸困難を起こしたこと、又は患者１０４が四肢痛を覚えていることをメモすることができる。別の例として、介護者１１０は理学療法士であってもよく、ベッドサイドモニタ１０８を使用して、患者１０４の治療活動を記録し、患者１０４に対する理学療法の進行に関するメモを作成することができる。さらに別の例として、介護者１１０はベッドサイドモニタ１０８を使用し、患者１０４の１つ以上のバイタルサインの「正常」又は「安全」範囲とみなされる範囲に、範囲を調整することができる。さらに別の例として、介護者１１０は病院用務員であってもよく、ベッドサイドモニタ１０８を使用して、患者１０４が食事をとった時間、及び患者１０４がとった各食事の量を記録することができる。
【００３８】
ベッドサイドモニタ１０８はまた、他の介護者が残した患者１０４に対する患者ケアに関するメモを検討すること、あるいは合併症の診断又は防止を支援するために、患者のバイタルサイン及び活動を一定期間追跡することに使用できる。ベッドサイドモニタ１０８はまた、胸部センサ１０２の警告状態に関連する情報を伝えるためにも使用できる。例えば、様々なバイタルサイン又は他の情報（患者の動き／位置など）のいずれかが、指定された「安全」限界の外にある場合、胸部センサ１０２、他のセンサ、又はベッドサイドモニタ１０８は、警告状態を開始することができる。ベッドサイドモニタ１０８は、視覚アラーム又は音声アラームを介し、介護者１１０に警告状態を警告できる。いくつかのシナリオにおいては、異なる種類の警告状態、又は異なる警告状態に関連する様々な緊急レベルに対して、異なる視覚アラーム又は音声アラームを使用できる。
【００３９】
胸部センサ１０２及び／又は他の患者装着センサとの通信に加えて、ベッドサイドモニタ１０８は、ネットワーク１１２を介して１つ以上の中央サーバ１１３と通信することもできる。中央サーバ１１３は、ベッドサイドモニタ１０８、他のベッドサイドモニタ、様々なセンサ、及び他のコンピューティング端末によって提供される情報を収集することができる。中央サーバ１１３は、同じ場所にある複数のサーバ、又は異なる地理的位置にある複数のサーバを備え、システム１００によって格納された情報にいわゆる「クラウド」ストレージを提供することができる。ベッドサイドモニタ１０８、ベッドサイドモニタ１０８と同じ病院にある他のベッドサイドモニタ及びコンピューティング装置、ならびに他の物理的位置にある様々なベッドサイドモニタ及び他のコンピューティング装置（例えば、携帯電話、パーソナルコンピュータ、タブレットデバイスなど）を含む様々な装置によって、ネットワーク１１２を介して、多くの異なる場所から１つ以上の中央サーバ１１３にアクセスすることが可能である。
【００４０】
中央サーバ１１３によって収集された情報は、中央サーバステーション１１４でアクセスされる。例えば、介護者１１６又は他の病院職員は、中央サーバステーション１１４を使用して、患者１０４、他の患者、又は他の病院の情報、あるいはヘルスケア管理機能にアクセスすることができる。ネットワーク１１２は、ＷｉＦｉネットワークなどの病院内ローカルエリアネットワーク（ＬＡＮ）、インターネットなどの広域ネットワーク（ＷＡＮ）、又はＬＡＮネットワークとＷＡＮネットワークとの任意の組み合わせとすることができる。ベッドサイドモニタ１０８は、ＷｉＦｉ又はセルラー通信プロトコルなどの無線プロトコルを使用して、あるいは有線接続を介してネットワーク１１２に接続できる。いくつかの実施形態では、中央サーバステーション１１４は、患者１０４及びベッドサイドモニタ１０８とは異なる施設に設置されてもよい。
【００４１】
中央サーバステーション１１４によって、介護者１１６は、患者１０４のバイタルサイン、活動、及び他の情報を離れた位置から監視することができる。中央サーバステーション１１４によって、介護者１１６はさらに、医療施設又はシステム内の複数の患者の情報を同時に観察することができる。いくつかの実施形態では、患者装着センサ（例えば、胸部センサ１０２）によって収集された全ての情報、及びベッドサイドモニタ１０８を使用して入力された全ての情報は、中央サーバ１１３に格納され、中央サーバステーション１１４を介してアクセス可能である。いくつかの実施形態では、介護者１１６は、患者１０４に関連する警告又は警報を中央サーバステーション１１４で受信し、警告状況に対処するために、１人以上の介護者を派遣するための適切な行動をとることができる。いくつかの実施形態では、システム１００は、患者１０４の警告状態を自動的に認識し、その状況に対応するように適切な介護者に警告することができる。例えば、ベッドサイドモニタ１０８は、胸部センサ１０２から受信した情報を分析して、患者１０４が窒息していることを判断することができる。ベッドサイドモニタ１０８は、これを緊急レベル警報として認識し、この情報を中央サーバ１１３に送信することができる。中央サーバ１１３は、患者１０４の付近にいる１人以上の介護者を識別し、当該介護者に患者１０４の窒息を警告することができる。
【００４２】
例えば、介護者が現在関わっているベッドサイドモニタ、中央サーバ１１３と通信しているコンピュータ端末、介護者が携帯又は装着しているモバイル装置、もしくは患者１０４がいる病院又は医療施設全体に配置されたアラーム又はディスプレイを介して、１人以上の介護者に警報が送信される。また中央サーバ１１３は、患者１０４に関する警報情報を、中央サーバステーション１１４に送信して介護者１１６に通知すること、ならびに、（患者１０４が装着している胸部センサ１０２と関連付けられた）ベッドサイドモニタ１０８に送信して、介護者１１０又はベッドサイドモニタ１０８の近くにいる１人以上の他の介護者に警告することもできる。この自動化された患者１０４の警告状態の認識と、患者１０４の付近にいる介護者への警告の中継によって、緊急事態に対応し解決するための時間が短縮され、ひいては患者１０４に対する有害な影響を減少させることができる。
【００４３】
いくつかの実施形態では、ベッドサイドモニタ１０８は、様々な患者装着センサ（胸部センサ１０２及び／又は他の患者装着センサなど）によって収集された情報に加えて、患者１０４に関する情報を収集する機能を備えることができる。例えば、ベッドサイドモニタ１０８は、患者１０４の動き、姿勢、及び他の様子を監視するための１つ以上のカメラを備えることができる。例えば、カメラは、ベッドサイドモニタ１０８に組み込まれるか、周辺装置としてベッドサイドモニタ１０８に取り付けられるか、あるいは、ベッドサイドモニタ１０８と有線又は無線通信する独立した装置であってもよい。ベッドサイドモニタ１０８のカメラは、患者１０４がベッドにいる間、患者１０４に面するように配置され、患者１０４の動きを監視する。この情報は患者の警告状態の認識に使用される。例えば、ベッドサイドモニタ１０８（又は中央サーバ１１３などの、システム１００の別のコンピューティング装置）は、カメラによって捕捉されたビデオ画像を分析して、患者１０４がベッドから転落したかどうかを識別することができる。別の例として、カメラは、患者１０４がベッドにいると予想される時間にベッドにいないことを識別するのに使用される。ベッドサイドモニタ１０８によって、患者１０４が閾値時間より長くベッドを離れていることが検出されると、ベッドサイドモニタ１０８はこれを警告状態と認識し、介護者に状況を警告することができる。
【００４４】
ベッドサイドモニタ１０８のカメラは、患者１０４にとって危険な、又は望ましくない１つ以上の状態を識別するために使用することもできる。例えば、ベッドサイドモニタ１０８は、カメラを使用して、患者１０４のベッドの防護柵が下がっている（例えば、介護者が、患者１０４がベッドに入る支援を行った後に柵を戻すことを忘れた）ことを識別できる。ベッドサイドモニタ１０８は、これを警告状態として認識し、適切な介護者に通知する。別の例として、胸部センサ１０２によって収集された加速度計データが、患者１０４がベッドから転落したことを示す場合、ベッドサイドモニタ１０８のカメラを使用して患者１０４のベッドからの転落を確認する。場合によっては、ベッドサイドモニタ１０８のカメラは、１人以上の介護者（例えば、患者１０４と同じ病棟の看護ステーションにいる看護師）にビデオフィードを提供することが可能であり、それによって介護者は、患者１０４の部屋に物理的に入る必要なく、定期的に患者１０４の状態をチェックできる。
【００４５】
ベッドサイドモニタ１０８に組み込まれた、又はベッドサイドモニタ１０８と通信する、１つ以上のセンサ又は装置によって収集できる他の情報は、環境温度、環境湿度、騒音レベル、光レベル、一酸化炭素検出、又は煙検出を含むことができる。例えば、ベッドサイドモニタ１０８は、患者１０４の付近の環境温度が許容レベルを下回っていることを識別し、介護者又は保守作業員に温度の変化を警告することができる。別の例として、ベッドサイドモニタ１０８は、環境湿度が閾値を下回ったことを検出することができる。
【００４６】
システム１００のいくつかの実施形態では、胸部センサ１０２及び／又は他の患者装着センサは、（例えば、ＷｉＦｉ又は他の無線プロトコルを使用して）直接ネットワーク１１２に接続して、バイタルサイン及び他の情報を中央サーバ１１３に転送することで、ベッドサイドモニタ１０８の必要性を除外することができる。ネットワークを介して中央サーバ１１３に転送された情報には、中央サーバステーション１１４及びネットワーク１１２に接続された他の端末でアクセスできる。いくつかの実施形態では、ベッドサイドモニタ１０８は、胸部センサ１０２及び／又は他の患者装着センサから直接情報を受信する代わりに、中央サーバ１１３から情報を受信し、中央サーバ１１３が指示するグラフィカルユーザインタフェースを表示するダミー端末として機能する。
【００４７】
いくつかの実施形態では、患者１０４の情報（バイタルサイン、警告状態、治療情報、バイオグラフィカル情報など）は、中央サーバ１１３及び／又はベッドサイドモニタ１０８と通信する他の装置を使用してアクセスされる。例えば、患者情報は、介護者１１０、又は患者１０４と関連付けられた他の介護者が所持するモバイル装置（スマートフォン、タブレット又はラップトップなど）に送信することができる。別の例として、介護者１１０は、（例えば、ベッドサイドモニタ１０８又は別のコンピューティング装置を使用して）中央サーバ１１３にアクセスし、患者１０４の最新情報の受信を求めることを示すことができる。追加又は代替として、介護者１１０は、（例えば、介護者１１０の介護者プロファイルを、患者１０４の患者プロファイルにリンクすることで）患者１０４に関連付けられる。患者１０４に関する重要な情報（警告状態、又は治療計画の大幅な変更など）が中央サーバ１１３によって受信されると、中央サーバ１１３は、介護者１１０の携帯電話などの介護者１１０に関連付けられた装置に、この情報を自動的に送信することができる。
【００４８】
いくつかの実施形態では、患者１０４に関連付けられた介護者は、コンピューティング装置を使用して中央サーバ１１３と通信し、患者１０４の情報にアクセスできる。例えば、介護者は、その情報にアクセスするための適切な許可を有する場合に、患者１０４の情報にアクセスすることができる。介護者は、アクセスコードの入力によって、又は患者１０４の患者プロファイルと事前に関連付けられた介護者のプロファイルにアクセスすることによって、その情報にアクセスするための許可を示すことができる。いくつかの実施形態では、患者１０４に関連する情報は、多くの異なるベッドサイドモニタ又は中央サーバステーションからアクセスされる。このような情報アクセス体系によって、介護者及びシステム１００の他のユーザは、複数の患者の情報にアクセスすることが可能になる。例えば、医師は、多数の患者の状態の監視を担当することができる。医師は、ＰＣを使用して中央サーバ１１３にアクセスし、複数の患者それぞれのバイタルサイン情報、警報情報、及び他の情報を見ることができる。追加又は代替として、複数の患者の情報はニュースフィードに記載され、それによって医師は、容易に患者に関する最重要情報にアクセスして検討することができ、それと同時に、システム１００によって最重要とは識別されなかった各患者に関する追加情報にアクセスすることもできる。
【００４９】
さらに、介護者１１０は、ベッドサイドモニタ１０８を使用して、システム１００に入力されたものの、胸部センサ１０２又は他の患者装着センサによって提供されなかった、患者１０４に関連する情報にアクセスすることができる。例えば、介護者１１０は、ベッドサイドモニタ１０８を使用して、患者１０４の現在の位置以外の場所で行われた治療又は手続きについての、患者１０４に関連する情報にアクセスすることができる。一例では、介護者１１０は、患者１０４の現在の状態を評価するために、ベッドサイドモニタ１０８を使用して、中央サーバ１１３に格納された、患者１０４と緊急治療室のスタッフとのやり取りに関する情報にアクセスし検討することができる。別の例として、介護者１１０は、患者１０４の別のベッドサイドモニタに麻酔科医が残した、患者１０４に対して指定された術後処置期間中に認められた、患者１０４の特定のバイタルサイン又は他の行動に関するメモを検討することができる。
【００５０】
いくつかの実施形態では、中央サーバ１１３は、システム１００の外部のコンピューティングシステムとインタフェース接続して、患者１０４の付加的な情報にアクセスすることができる。例えば、中央サーバ１１３は、患者１０４の過去の治療、手続き、ケアプラン、診断に関する患者のヘルスケア情報、又は他のヘルスケア関連情報を含む、患者１０４の電子カルテ（ＥＭＲｓ）情報、電子生涯健康カルテ（ＨＥＲｓ：ｅｌｅｃｔｒｏｎｉｃ  ｈｅａｌｔｈ  ｒｅｃｏｒｄｓ）情報、又は画像保管通信システム（ＰＡＣＳ：ｐｉｃｔｕｒｅ  ａｒｃｈｉｖｉｎｇ  ａｎｄ  ｃｏｍｍｕｎｉｃａｔｉｏｎ  ｓｙｓｔｅｍ）情報にアクセスすることができ、これらの情報は、システム１００に関連付けられた医療施設に関連付けられていてもいなくてもよい。
【００５１】
システム１００のいくつかの実施形態では、複数の患者装着センサは、複数のそれぞれの患者に関連付けられ、各患者装着センサは、１つ以上のベッドサイドモニタ又は中継装置と（例えば、ＢＬＵＥＴＯＯＴＨ(登録商標)又は別の無線通信プロトコルを使用して）同期するように構成される。いくつかの実施形態では、患者装着センサは、有線接続を使用してベッドサイドモニタ又は他の装置と通信することができる。いくつかの実施形態では、一部又は全ての患者装着センサは、ネットワーク１１２と（例えば、Ｗｉ−Ｆｉ又は別の無線通信プロトコルを使用して）直接通信するように構成される。追加又は代替として、複数の患者装着センサによって収集された情報は、ネットワークを介して中央サーバ１１３に中継され格納される。当該情報は、システム１００の構成要素によってアクセスされる。例えば、介護者１１６は、複数の患者装着センサに関連付けられた患者の状態を監視するために、中央サーバステーション１１４で、複数の患者装着センサによって収集された情報にアクセスすることができる。
【００５２】
使用時において、患者１０４が医療施設に入場する時、又は患者１０４が医療施設に入場した後すぐに、１つ以上の患者装着センサ（胸部センサ１０２など）は患者１０４に関連付けられてもよい。いくつかの実施形態では、患者１０４が緊急事態時（例えば、心停止、重度の自動車事故など）に医療施設に入った場合、緊急状況が対処されて患者１０４が安定した後に、患者１０４に対して患者装着センサが支給される。いくつかの実施形態では、ユニークな患者識別子（ＩＤ）を患者１０４に関連付けることができる。患者ＩＤは、患者１０４の名前、患者１０４に割り当てられたユニークな数字、数字と文字と他の記号とのユニークな組み合わせ、又は患者１０４に関連する任意の他のユニークな識別子と同じくらいに単純なものでよい。患者１０４と医療施設、システム１００、又は関連するシステムとの間に以前にやり取りがあった場合、介護者１１０は、例えば、患者１０４の名前をベッドサイドモニタ１０８に入力して、患者１０４のユニークな識別子を調べることができる。介護者１１０は、患者１０４の患者情報にアクセスすることができる。患者情報は、患者１０４の名前、年齢、体重、身長、住所、連絡先、家族、緊急連絡先などのバイオグラフィカル情報、ならびに過去（現在又は将来）のヘルスケアイベント、治療、手続き、ケアプランなどに関するヘルスケア情報を含むことができる。いくつかの実施形態では、介護者１１０は、患者１０４の患者プロファイルに（例えば、患者１０４の患者ＩＤを使用して）アクセスすることができる。患者プロファイルは、上記に挙げた患者１０４の情報のいずれかを含むことができる。また患者プロファイルは、患者１０４に手術を行った医師、患者１０４に将来処置を行う予定の医師、患者１０４のプライマリケアを担当する１人以上の介護者、患者１０４の初期緊急治療を担当した緊急治療室の医師及び付添人、ならびに患者１０４に関連する他の介護者などの、患者１０４に関連する介護者を示すこともできる。
【００５３】
患者１０４と、システム１００又は関連するシステムとの間に以前にやり取りがなかった場合、システム１００の１つ以上の構成要素（例えば、ベッドサイドモニタ１０８又は中央サーバ１１３）によって、新たにユニークなＩＤを患者１０４に割り当てることができる。患者１０４のバイオグラフィカル情報、ヘルスケア情報、及び他の情報が（例えば、ベッドサイドモニタ１０８又は中央サーバステーション１１４を使用して）入力され、中央サーバ１１３に格納される。
【００５４】
患者装着モニタ（胸部センサ１０２など）を患者１０４に最初に提供する際に、患者装着センサを、患者１０４のユニークなＩＤに関連付けることにより、患者装着センサを患者１０４に関連付けることができる。例えば、胸部センサ１０２は、ベッドサイドモニタ１０８と同期することができる。介護者１１０は、ベッドサイドモニタ１０８を使用して、胸部センサ１０２を患者１０４に関連付けることができる。胸部センサ１０２が患者１０４に関連付けられた後、胸部センサ１０２は、他のベッドサイドモニタ、又は他の監視ステーションなどのシステム１００の他の構成要素に対して、患者１０４を識別できる。
【００５５】
ベッドサイドモニタ１０８は、例えば、ベッドサイドモニタ１０８の特定の距離内にある装置を検索し、付近の装置（胸部センサ１０２、及び付近の他の患者が装着する１つ以上の他の患者装着センサなど）のリストを表示し、介護者１１０が表示された装置のリストから胸部センサ１０２を選択できるようにすることで、胸部センサ１０２と同期することができる。同期後、介護者１１０は、胸部センサ１０２を患者１０４のユニークな患者ＩＤに関連付けることができる。別の例として、介護者１１０は、胸部センサ１０２のユニークなセンサＩＤをベッドサイドモニタ１０８に入力することによって、ベッドサイドモニタ１０８を胸部センサ１０２と同期させることができる。ユニークなセンサＩＤは、例えば胸部センサ１０２の表面に印字されていてもよい。いくつかの実施形態では、ベッドサイドモニタ１０８と通信する特別なスキャン装置を使用して、ベッドサイドモニタ１０８を胸部センサ１０２と同期させる。介護者１１０は、スキャン装置を使用して、（例えば、胸部センサ１０２の構成要素が送信した信号の検出、ＲＦＩＤタグのスキャン、又は胸部センサ１０２に印字されたバーコードの読み取りによって）胸部センサ１０２をスキャンできる。ベッドサイドモニタ１０８は、スキャン装置からの情報を使用して、胸部センサ１０２を識別し、胸部センサ１０２と同期することができる。いくつかの実施形態では、ベッドサイドモニタ１０８は、ベッドサイドモニタ１０８の設計に組み込まれたスキャン装置を備えることができる。例えば、ベッドサイドモニタは、胸部センサ１０２のスキャンに使用可能な１つ以上の内蔵カメラを備えたタブレット装置であってもよい。
【００５６】
１つの実施形態例において、胸部センサは、アダプタリードアセンブリと接続してセンサアセンブリを形成することができる。胸部センサ１０２及び／又はベッドサイドモニタ１０８は、アダプタの構成の解釈に基づき、センサアセンブリの構成情報（例えば、リードの数、測定機能の種類、グラフィカル表示情報など）を自動的に特定することができる。センサアセンブリ、及び胸部センサに接続されたアダプタの構成情報を特定するプロセスについては、図２から図９を参照して以下でさらに説明される。
【００５７】
図２はセンサアセンブリ２００の例示的な斜視図を示す。特に、図２は、図示された矢印方向にアダプタリードアセンブリ２０２と接続している胸部センサ１０２を示している。図２に示す例では、胸部センサ１０２は、アダプタリードアセンブリ２０２のメス３０ピンコネクタ２１０に接続するように構成された、オス３０ピンコネクタ２０４を備える。様々な他の実施形態において、コネクタ２０４及びコネクタ２１０は、例えば、対応するＵＳＢコネクタ、ファイアワイヤコネクタ、ライトニングコネクタ、３０ピンコネクタ（例えば、ＪＡＥ３０ピンＤＤ１シリーズコネクタ）、カスタムプロプライエタリコネクタ、又は当業者に知られている任意の適切なコネクタであっても良い。
【００５８】
いくつかの実施形態では、アダプタリードアセンブリ２０２は、リード電線２１２ａ、２１２ｂ、及び２１２ｃ（本明細書では通常リード電線と呼ばれる）を備える。アダプタリードアセンブリ２０２は、プラグアンドプレイデバイスとして、いくつかの異なる固有の構成を備えることができる。例えば、アダプタリードアセンブリ２０２は、ショートリード、ロングリード、又はハーネスアセンブリのいずれかであってもよい。さらに、それぞれのアダプタリードアセンブリ２０２は、異なる種類のセンサを備えることができる。例えば、アダプタリードアセンブリ２０２は、酸素飽和度を測定するための指センサを備えていてもよい。代替として、アダプタリードアセンブリ２０２は、酸素飽和度を測定するための耳センサオキシメータを備えていてもよい。さらに、アダプタリードアセンブリ２０２は、ＥＣＧ、温度、酸素飽和度、血圧、又は本明細書で検討される他のバイタルサイン測定、これらのバイタルサイン測定機能を少なくとも１つ以上備えることができる。例えば、１つのアダプタリードアセンブリ２０２の構成は、ＥＣＧ及びオキシメータ測定センシング機能を備えたロングリードであってもよい。別の例として、アダプタリードアセンブリ２０２の構成は、ＥＣＧ測定センシング機能のみを備えたハーネスであってもよい。追加又は代替として、上記のセンサの任意の組み合わせを含む、測定機能とリード電線アセンブリとの任意の数の組み合わせが必要に応じて作成される。
【００５９】
いくつかの実施形態では、胸部センサ１０２は、ディスプレイライト、ディスプレイ画面、又は他のディスプレイ機構を備えることもできる。示されているように、胸部センサ１０２は、表示器２０６及びディスプレイ画面２０８を備える。例えば、表示器２０６は、１つ以上の発光ダイオード（ＬＥＤ）ライトを備えることができ、ＬＥＤライトは、胸部センサ１０２を装着している患者の１つ以上のバイタルサインの現在の状態、又は胸部センサ１０２の１つ以上の構成要素の現在の状態を示すことができる。例えば、表示器２０６は、胸部センサ１０２がアダプタリードアセンブリ２０２に正常に接続されたことを看護師などのユーザに示すことができる。例えば、胸部センサ１０２がアダプタリードアセンブリ２０２に正常に接続されると、表示器２０６は「緑色」ライトを表示する。追加又は代替として、胸部センサ１０２が正常に接続されなかった場合、表示器２０６は「赤色」ライトを表示する。示されているように、表示器２０６はＬＥＤであるが、同様の発光部品を使用してもよい。追加又は代替として、表示器２０６は胸部センサ１０２の電池量低下を示すことができ、一方で、別のＬＥＤは通信ユニット（例えば、無線ＢＬＵＥＴＯＯＴＨ(登録商標)通信回路）の誤作動を示すことができる。いくつかの実施形態では、表示器２０６は、情報を伝えるために様々な色で点灯したり、様々な速度で点滅したりできる。いくつかの実施形態では、センサハウジングは、胸部センサ１０２の設定の表示、もしくは胸部センサ１０２によって収集されたバイタルサイン情報又は他の情報の表示を提供するためのディスプレイ画面２０８を備えることができる。例えば、ディスプレイ画面２０８は、１つ以上の患者のＥＣＧの示度を示すことができる。いくつかの実施形態では、ディスプレイ画面２０８は、胸部センサ１０２のシリアル番号を示すことができる。
【００６０】
図３Ａ及び図３Ｂは、ベッドサイドモニタと通信する例示的な患者装着センサアセンブリのブロック図である。特に、図３Ａは、ベッドサイドモニタ１０８と通信するセンサアセンブリ２００を備えた環境３００Ａを示し、ベッドサイドモニタ１０８はセンサアセンブリ２００の構成情報を特定する。
【００６１】
胸部センサ１０２は、出力電圧を測定するためのアナログ−デジタル変換（ＡＤＣ）回路１２０と、ベッドサイドモニタ１０８と通信するための無線通信ユニット１２２とを備える。胸部センサ１０２は、基準抵抗１２４（ＲＲＥＦ）を介してピン１２５で基準電圧を送り、ピン１２１で出力電圧を受け取るように構成される。
【００６２】
アダプタリードアセンブリ２０２は、ピン２２５で基準電圧を受け取り、ピン２２１で出力電圧を提供するように構成されたコネクタ２１０を備える。アダプタリードアセンブリ２０２はまた、構成抵抗２２０（ＲＣＦＧ）を備える。構成抵抗２２０は、胸部センサ１０２に接続するように構成することができる複数のリードアセンブリの中の、異なる種類のアダプタリードアセンブリ２０２に割り当てられる固有の抵抗値である。例えば、ショートリードＥＣＧのみのアダプタリードアセンブリ２０２には、構成抵抗２２０の特定の値、例えば抵抗精度＋／−０．１％の２０ｋオームを割り当てることができる。さらに、ＥＣＧのみのロングリードアダプタ構成には、抵抗精度＋／−０．１％の１０ｋオームの構成抵抗２２０を選択してもよい。他の例において、温度センサ及びオキシメータを備えたハーネスアダプタ構成には、抵抗精度＋／−０．１％の３０ｋオームの構成抵抗２２０を選択してもよい。システムがＡＤＣ回路１２０の変換から異なる構成抵抗２２０を検出した場合、本明細書に記載されたシステム及び処理が、構成設定（例えば、ベッドサイドモニタ１０８のユーザインタフェース上の異なる画面）を自動的に更新できるように、異なるアダプタリードアセンブリ２０２の構成はそれぞれに、固有の構成抵抗２２０を備える。代替として、構成抵抗２２０の抵抗精度は１％から５％の範囲であってもよく、パーセンテージが大きいほど、計算できるＡＤＣ値の範囲は広がり、割り当てられる異なる構成の数は少なくなる。
【００６３】
ベッドサイドモニタ１０８は、胸部センサ１０２と通信するように構成された無線通信ユニット１３２を備える。ベッドサイドモニタ１０８は、制御プロセッサ１３０及び記憶ユニット１３４をさらに備える。制御プロセッサ１３０は、ＡＤＣ測定値などの、センサアセンブリ２００から受信されたデータを処理するように、かつ記憶ユニット１３４などのデータベースにアクセスすることで、胸部センサに接続された特定のアダプタリードアセンブリ２０２のアプリケーション固有のパラメータを特定するように構成される。記憶ユニット１３４は、ＡＤＣ測定値とアダプタアセンブリ識別子との間の関連値の範囲を含むマッピングデータを格納するように構成される。各アダプタアセンブリ識別子は、胸部センサ１０２と電気的に結合してセンサアセンブリ２００を形成することができるアダプタリードアセンブリ２０２の異なる構成に対して固有である。各ＡＤＣ測定値は、アナログ信号がデジタル、つまり数値信号に変換されたものである。例えば、１０（ロー）から１９（ハイ）までの間のＡＤＣ測定値は、温度センサを備えたショートリードＥＣＧなどの特定の構成のために使用されてもよい。別の例として、５０（ロー）から５９（ハイ）までの間のＡＤＣ測定値は、温度センサ及びオキシメータセンサとして構成された指センサを備えたロングリードセンサなどの異なる特定の構成のために使用されてもよい。
【００６４】
動作時において、アダプタリードアセンブリ２０２が胸部センサ１０２に接続されている場合、胸部センサ１０２からアダプタリードアセンブリ２０２に基準電圧を送り、アダプタリードアセンブリ２０２から胸部センサ１０２に出力電圧を送ることができる。例えば、図２に示す通り、アダプタリードアセンブリ２０２のオス３０ピンコネクタ２０４が、胸部センサ１０２のメス３０ピンコネクタ２１０に挿入されると、電気接続が生じる。他の実施形態において、上記の通り、３０ピンコネクタ以外の他の種類のコネクタを使用することができる。ＡＤＣ回路１２０は、構成抵抗２２０と内部基準抵抗１２４で形成される抵抗分圧器から生じる出力電圧を測定する。これはアナログ測定であるので、構成要素の許容誤差と測定ノイズのために、特定の構成は、１つの値ではなく値の範囲で表され得る。特定の構成はケース範囲によって指定でき、各範囲はアプリケーション固有のパラメータを定義する。例えば、使用される構成抵抗及び基準抵抗は、許容レベル±０．１％の範囲内であってもよい。ＡＤＣ回路１２０は、４，０９６カウントをもたらす１２ビットＡＤＣであってもよい。ＡＤＣ回路１２０は、入力電圧を−ＶＲＥＦから＋ＶＲＥＦに変換する。例えば、＋ＶＲＥＦ／２のＡＤＣ入力は、＋１０２４のデジタル出力を提供する。ＡＤＣ測定ノイズは、＋／−４カウント（すなわち、２ビット）であると推定できる。したがって、ＡＤＣローからＡＤＣハイの範囲は８カウントである。例えば、１５３（ロー）から１６１（ハイ）までの間のＡＤＣ測定値は、ＥＣＧのみを備えたハーネスなどの特定の構成に使用されてもよい。
【００６５】
ＡＤＣ値は、特定された後にプロトコルデータストリームに挿入され、ＡＤＣ回路１２０によって測定された値の範囲を分析することができる。いくつかの実施形態では、胸部センサ１０２の通信ユニット１２２によって、ＡＤＣ値をプロトコルデータストリーム送信に挿入してパケット化し、ベッドサイドモニタ１０８の無線通信ユニット１３２に送信することができる。いくつかの実施形態では、図３Ｂを参照して以下でさらに説明されるように、胸部センサ１０２は、ベッドサイドモニタ１０８にデータを送信する前に、構成情報を特定することができる。
【００６６】
いくつかの実施形態では、胸部センサ１０２からアダプタリードアセンブリ２０２への接続が正常に行われない場合、又はアダプタリードアセンブリ２０２が接続されていない場合、出力電圧はヌルになる。例えば、ＡＤＣの最大値（例えば、＞１５００）はセンサの切断と解釈される。いくつかの実施形態では、センサの切断が判断されると、時限センサのシャットダウンが開始される。いくつかの実施形態では、テクニカルアラームもまた開始される。いくつかの実施形態では、アダプタリードアセンブリ２０２を再接続することで、シャットダウン処理の停止及びリセットが可能である。
【００６７】
図３Ｂは、ベッドサイドモニタ１０８と通信するセンサアセンブリ２００を備えた例示的な環境３００Ｂを示し、胸部センサ１０２は、ベッドサイドモニタ１０８にデータを送信する前に、センサアセンブリ２００の構成情報を特定する。
【００６８】
胸部センサ１０２は、出力電圧を測定するためのアナログ−デジタル変換（ＡＤＣ）回路１２０、及びベッドサイドモニタ１０８と通信するための無線通信ユニット１２２を備える。胸部センサ１０２は、基準抵抗１２４を介してピン１２５で基準電圧を送り、ピン１２１で出力電圧を受け取るように構成される。胸部センサ１０２は、制御プロセッサ１２３及び記憶ユニット１２６をさらに備える。制御プロセッサ１３０は、ＡＤＣ測定値などのＡＤＣ回路１２０から得られたデータを処理し、胸部センサに接続された特定のアダプタリードアセンブリ２０２の構成を特定するように構成される。制御プロセッサ１２３は、記憶ユニット１２６などのデータベースにアクセスすることによって、構成を特定することができる。記憶ユニット１２６は、ＡＤＣ測定値とアダプタアセンブリ識別子との間の関連値の範囲を含むマッピングデータを格納するように構成される。各アダプタアセンブリ識別子は、胸部センサ１０２と電気的に結合してセンサアセンブリ２００を形成することができるアダプタリードアセンブリ２０２の異なる構成に対して固有である。各ＡＤＣ測定値は、アナログ信号がデジタル、つまり数値信号に変換されたものである。例えば、１０（ロー）から１９（ハイ）までの間のＡＤＣ測定値は、温度センサを備えたショートリードＥＣＧなどの特定の構成に使用されてもよい。別の例として、５０（ロー）から５９（ハイ）までの間のＡＤＣ測定値は、温度センサ及びオキシメータセンサとして構成された指センサを備えたロングリードセンサなどの異なる特定の構成に使用されてもよい。
【００６９】
アダプタアセンブリ識別子を特定する胸部センサ１０２を有することの１つの利点は、ＡＤＣ測定値の分析のためにベッドサイドモニタ１０８に依存する必要なく、センサアセンブリ２００が、別の装置と通信してアプリケーション固有のパラメータを提供できるようになることである。例えば、ベッドサイドモニタが利用できない場合に、モバイル装置を使用して患者のバイタルサインを取得してもよく、モバイル装置のアプリケーションの続行にはアプリケーション固有のパラメータを必要とする場合もある。
【００７０】
図３Ａの環境例３００Ａと同様に、環境例３００Ｂのアダプタリードアセンブリ２０２は、構成抵抗２２０及びコネクタ２１０を備える。ベッドサイドモニタ１０８は、胸部センサ１０２と通信するように構成された無線通信ユニット１３２、制御プロセッサ１３０、及び記憶ユニット１３４を備える。しかしながら、胸部センサ１０２の制御プロセッサ１２３が、特定のアダプタリードアセンブリの構成を特定しているため、ベッドサイドモニタ１０８の制御プロセッサ１３０及び記憶ユニット１３４を、他の動作に使用することができる。例えば、制御プロセッサ１３０は、構成情報を受信して、ベッドサイドモニタのディスプレイに表示される特定のセンサアセンブリのための特定のグラフィカルコンテンツを指定する、グラフィカル表示データを生成することができる。例えば、特定のセンサアセンブリは、特定の表示を提供してもよく、図７Ａから図７Ｃに示すユーザインタフェースを参照してさらに本明細書で検討される。
【００７１】
図４Ａ及び図４Ｂは、指センサ４０２を備えた患者装着センサアセンブリの実施形態例を示す。特に、図４Ａは、胸部センサが取り付けられていないアダプタリードアセンブリ４００の斜視図である。アダプタリードアセンブリ４００は、図１、図２、図３Ａ、及び図３Ｂに関し説明された胸部センサ１０２と結合すると、患者装着センサアセンブリ２００の代替実施形態の一部を形成することができる。例えば、アダプタリードアセンブリ４００を、コネクタ４１０を介して胸部センサ１０２と動作可能に接続するように構成することができる。例えば、胸部センサ１０２のオス３０ピンコネクタ２０４は、メス３０ピンコネクタ４１０に接続できる。他の実施形態では、上記の通り、３０ピンコネクタ以外の他の種類のコネクタを使用することができる。いくつかの実施形態では、アダプタリードアセンブリ４００を使い捨て可能に構成し、アダプタリードアセンブリ４００と同一又は類似の設計を有する別の電極アセンブリと置き換えるか、以下で説明されるアダプタリードアセンブリ５００などの、アダプタリードアセンブリ４００とは異なる設計を有する電極アセンブリと置き換えることができる。いくつかの実施形態では、アダプタリードアセンブリ４００は再利用可能であり、患者の皮膚に貼り付けるように構成された、１つ以上の使い捨て電極パッドと動作可能に接続するように構成される。
【００７２】
アダプタリードアセンブリ４００は、電極リード４０４、４０６、４０８ａ、及び４０８ｂ、ならびに指センサ４０２を備える。指センサは、パルスオキシメトリから得られるバイタルであるＳｐＯ２及び脈拍数を測定するように構成される。電極リード４０４、４０６、４０８ａ、及び４０８ｂは、マルチリードＥＣＧを提供するように構成することができる。各電極リードは、電極パッドと動作可能に接続するように構成されたコネクタを備える。例えば、各電極コネクタは、患者の皮膚に接触してバイタルサインを収集するためのヒドロゲルと、患者の皮膚にしっかり貼り付けるための粘着層とを有する電極を備える単一電極パッド（例えば、「レッドダット」ＥＣＧ電極）と動作可能に接続することができる。いくつかの実施形態では、２つの電極コネクタは、患者の右側に配置されてバイタルサイン情報を収集する。アダプタリードアセンブリ４００の電極リード４０４、４０６、４０８ａ、及び４０８ｂは、電極コネクタから本体に（及び最終的に、図１から図３Ａ及び図３Ｂの胸部センサ１０２などのセンサに）電気信号を伝える導電性材料（例えば、１つ以上の電線）を備える。
【００７３】
図４Ｂは、患者装着センサアセンブリを使用している患者１０４の例を示し、特に、胸部センサ１０２が動作可能に接続された図４Ａのアダプタリードアセンブリ４００と、指センサ４０２とを示している。アダプタリードアセンブリ４００は、患者１０４に貼り付けられた状態で示されている。アダプタリードアセンブリ４００は、患者１０４の心臓付近の患者１０４の左上胸部に貼り付けられている。
【００７４】
図４Ｂはさらに、電極リード４０４、４０６、４０８ａ、及び４０８ｂを示す。例えば、電極リード４０８ａ及び４０８ｂは、「右腕」リードとして機能するように患者１０４の胸部の右側に配置される。図４Ｂは、「左脚」リードとして機能するように患者１０４の腹部の左側に配置された電極リード４０４、及び前胸リードとして機能するように患者１０４の胸骨付近の腹部中央に配置された電極リード４０６をさらに示す。示された例では、各電極リード４０４、４０６、４０８ａ、及び４０８ｂは、電極パッドと動作可能に接続している。電極パッドは、患者のバイタルサインを感知するための電極と、患者１０４の皮膚に貼り付けるための粘着層とを備える。
【００７５】
いくつかの実施形態では、指センサ４０２は、胸部センサ１０２に（例えば、無線接続又は有線接続を介して）情報を転送し、胸部センサ１０２は、指センサ４０２によって収集された情報をベッドサイドモニタ１０８に転送し、設定情報及びベッドサイドモニタ１０８によって示される他の情報を指センサ４０２に送信する。いくつかの実施形態では、指センサ４０２は、ベッドサイドモニタ１０８とも（例えば、無線ＢＬＵＥＴＯＯＴＨ(登録商標)接続、他の無線接続、又は有線接続を介して）通信する。
【００７６】
図５Ａ及び図５Ｂは、耳センサ５０２を備えた患者装着センサアセンブリの実施形態例を示す。特に、図５Ａは、胸部センサが取り付けられていないアダプタリードアセンブリ５００の斜視図である。アダプタリードアセンブリ５００は、図１、図２、図３Ａ、及び図３Ｂに関し説明された胸部センサ１０２と結合すると、患者装着センサアセンブリ２００の代替実施形態の一部を形成することができる。例えば、アダプタリードアセンブリ５００を、コネクタ５１０を介して胸部センサ１０２と動作可能に接続するように構成することができる。例えば、胸部センサ１０２のオス３０ピンコネクタ２０４は、メス３０ピンコネクタ５１０に接続できる。他の実施形態では、上記の通り、３０ピンコネクタ以外の他の種類のコネクタを使用することができる。いくつかの実施形態では、アダプタリードアセンブリ５００を使い捨て可能に構成し、アダプタリードアセンブリ５００と同一又は類似の設計を有する他の電極アセンブリと置き換えるか、上記のアダプタリードアセンブリ４００などの、アダプタリードアセンブリ５００とは異なる設計を有する電極アセンブリと置き換えることができる。いくつかの実施形態では、アダプタリードアセンブリ５００は再利用可能であり、患者の皮膚に貼り付けるように構成された、１つ以上の使い捨て電極パッドと動作可能に接続するように構成される。
【００７７】
アダプタリードアセンブリ５００は、電極リード５０４、５０６、５０８ａ、及び５０８ｂ、ならびに耳センサ５０２を備える。耳センサは、パルスオキシメトリから得られるバイタルである、ＳｐＯ２及び脈拍数を測定するように構成される。電極リード５０４、５０６、５０８ａ、及び５０８ｂは、マルチリードＥＣＧを提供するように構成することができる。各電極リードは、電極パッドと動作可能に接続するように構成されたコネクタを備える。例えば、各電極コネクタは、患者の皮膚に接触してバイタルサインを収集するためのヒドロゲルと、患者の皮膚にしっかり貼り付けるための粘着層とを有する電極を備える単一電極パッド（例えば、「レッドダット」ＥＣＧ電極）と動作可能に接続することができる。いくつかの実施形態では、２つの電極コネクタは、患者の右側に配置されてバイタルサイン情報を収集する。アダプタリードアセンブリ５００の電極リード５０４、５０６、５０８ａ、及び５０８ｂは、電極コネクタから本体に（及び最終的に、図１から図３Ａ及び図３Ｂの胸部センサ１０２などのセンサに）電気信号を伝える導電性材料（例えば、１つ以上の電線）を備える。
【００７８】
図５Ｂは、患者装着センサアセンブリを使用している患者１０４の例を示し、特に、胸部センサ１０２が動作可能に接続された図５Ａのアダプタリードアセンブリ５００と、耳センサ５０２とを示している。アダプタリードアセンブリ５００は、患者１０４に貼り付けられた状態で示されている。アダプタリードアセンブリ５００は、患者１０４の心臓付近の患者１０４の左上胸部に貼り付けられている。
【００７９】
図５Ｂはさらに、電極リード５０４、５０６、５０８ａ、及び５０８ｂを示す。例えば、電極リード５０８ａ及び５０８ｂは、「右腕」リードとして機能するように患者１０４の胸部の右側に配置される。図５Ｂは、「左脚」リードとして機能するように患者１０４の腹部の左側に配置された電極リード５０４、及び前胸リードとして機能するように患者１０４の胸骨付近の腹部中央に配置された電極リード５０６をさらに示す。示された例では、各電極リード５０４、５０６、５０８ａ、及び５０８ｂは、電極パッドと動作可能に接続されている。電極パッドは、患者のバイタルサインを感知するための電極と、患者１０４の皮膚に貼り付けるための粘着層とを備える。
【００８０】
いくつかの実施形態では、耳センサ５０２は、胸部センサ１０２に（例えば、無線接続又は有線接続を介して）情報を転送し、胸部センサ１０２は、耳センサ５０２によって収集された情報をベッドサイドモニタ１０８に転送し、設定情報及びベッドサイドモニタ１０８によって示される他の情報を、耳センサ５０２に送信する。いくつかの実施形態では、耳センサ５０２は、ベッドサイドモニタ１０８とも（例えば、無線ＢＬＵＥＴＯＯＴＨ(登録商標)接続、他の無線接続、又は有線接続を介して）通信する。
【００８１】
図６は、本明細書に記載のセンサアセンブリ２００などの多層リードアセンブリ６０２が組み込まれた（又は代替として、取り付けられた）患者着用衣服６００（例えば、病院環境で一般的に着用されるタイプのような医療用ガウン）の実施形態例を示す。したがって、上記のアダプタリードアセンブリ４００又は５００を使用する代わりに、患者着用衣服６００に取り付けられた多層リードアセンブリ６０２を胸部センサ１０２に接続してセンサリードアセンブリを形成することによって、患者のバイタルサインを取得することができる。示されているように、アダプタケーブル６１６と電気的に接続することで、胸部センサ１０２は多層リードアセンブリ６０２に接続できる。アダプタケーブル６１６は、胸部センサ１０２のオス３０ピンコネクタ２０４に接続するように構成されたメス３０ピンコネクタ６１８を備える。他の実施形態では、上記の通り、３０ピンコネクタ以外の他の種類のコネクタを使用することができる。コネクタ２０４及びコネクタ６１８は、例えば、対応するＵＳＢコネクタ、ファイアワイヤコネクタ、ライトニングコネクタ、３０ピンコネクタ（例えば、ＪＡＥ３０ピンＤＤ１シリーズコネクタなど）、カスタムプロプライエタリコネクタ、又は当業者に知られている任意の適切なコネクタであっても良い。
【００８２】
患者着用衣服６００は、患者６０４の皮膚と接触する様々な電極が、（図６に示すような、センサを保持するように構成されたポケット６０６の中などで）衣服によって運ばれるか衣服に取り付けられるセンサアセンブリ（図示せず）と動作可能に接続するように構成される。電極は、例えば、患者６０４の皮膚に接触し、かつ患者６０４の皮膚に貼り付けられて、バイタルサインを感知することができるゲルを有するＥＣＧ電極とすることができる。代替として、電極は、例えば、衣服６００及び／又は多層リードアセンブリ６０２の一部として組み込むことができる、導電性ゴムなどの導電性材料とすることができる。電極は粘着性又は非粘着性のどちらであってもよい。患者が衣服６００を着用時に、多層リードアセンブリ６０２の延在部６０８ａから６０８ｅまでの端部が、患者６０４の様々なバイタルサイン測定値を収集するように配置されるように、多層リードアセンブリ６０２の延在部を衣服６００内に配置することができる。例えば、左腕、右腕、左脚、及び右脚（グランド）型電極として機能するように患者６０４の皮膚上に配置された電極に接続できるように、延在部６０８ａから６０８ｅまでの一部又は全てを配置することができる。
【００８３】
例えば、いくつかの実施形態では、延在部６０８ａは、ＥＣＧ電極ゲル、導電性ゴム、又は他の種類の電極に（例えば、着脱可能又は恒久的に）接続して、「右腕」電極を形成する。延在部６０８ｂは、ＥＣＧ電極ゲル、導電性ゴム、又は他の種類の電極に（例えば、着脱可能又は恒久的に）接続して、生体インピーダンス測定に使用される電極として機能する。例えば、延在部６０８ｂは、患者６０４の皮膚と接触する電極と連携して、生体インピーダンス測定で使用される電流注入電極として機能できる。例えば、延在部６０８ｂは、患者６０４の皮膚と接触する電極と連携して、既知の電流値を患者に注入し、一対の電極を使用して誘起電圧を測定する、４点生体インピーダンス測定のための電流注入電極として機能することができ、誘起電圧は、既知の電流値と共に使用して生体インピーダンスを計算することができる。
【００８４】
延在部６０８ｃは、ＥＣＧ電極ゲル、導電性ゴム、又は他の種類の電極に（例えば、着脱可能又は恒久的に）接続して、「左腕」電極を形成することができる。延在部６０８ｄは、ＥＣＧ電極ゲル、導電性ゴム、又は他の種類の電極に（例えば、着脱可能又は恒久的に）接続して、「右脚」（グランド）電極を形成することができる。延在部６０８ｅは、ＥＣＧ電極ゲル、導電性ゴム、又は他の種類の電極に（例えば、着脱可能又は恒久的に）接続して、「左脚」電極を形成することができる。
【００８５】
衣服６００のポケット６０６は、胸部センサ１０２を支持し、部分的に隠すように構成／成形される。ポケット６０６は、胸部センサ１０２を患者の近くでしっかりと保持し、胸部センサ１０２の擦れ又は動きを最小限にして、多層リードアセンブリ６０２から受信される信号内のノイズを最小限にするように構成することができる。
【００８６】
図７Ａから図７Ｅは、ベッドサイドモニタと無線通信する患者装着センサと、センサアセンブリ情報及び患者情報を伝えるための例示的なディスプレイ画面とを示す。特に、図７Ａは、ベッドサイドモニタ７０４と無線通信する患者装着センサ７０２（胸部センサ）を備えるシステム７００を示し、ベッドサイドモニタ７０４（例えば、ベッドサイドモニタ１０８）は、例えば図１のシステム１００などの患者ケアシステムの情報を表示している。図７Ａは、アダプタリードアセンブリ４００に接続された患者装着センサ７０２を示し、患者１０４に貼り付けられた状態で示されている。アダプタリードアセンブリ４００は、患者１０４の心臓付近の患者１０４の左上胸部に貼り付けられている。アダプタリードアセンブリ４００は、本明細書で図４Ａ及び図４Ｂを参照して記載されたような、指センサ４０２を備える。
【００８７】
ベッドサイドモニタ７０４は、ユーザインタフェース７０６を備えることができ、ユーザインタフェース７０６には、患者装着センサ７０２から受信された情報、及び／又は患者装着センサ７０２に関連付けられた患者に関連する情報が含まれる。患者装着センサ７０２は、例えば図１の胸部センサ１０２などの胸部センサであってもよい。患者装着センサ７０２は接点を備えることができ、接点は、患者の皮膚に貼り付けられて、血圧、体温、呼吸数、身体インピーダンス、血中酸素濃度、心調律（ＥＣＧを介した）、及び心拍数などの様々な患者のバイタルサインを記録する。
【００８８】
患者装着センサ７０２は、例えばＢＬＵＥＴＯＯＴＨ(登録商標)、ＷｉＦｉ、又はセルラープロトコルなどの無線通信プロトコルを使用する無線接続７０８を介して、ベッドサイドモニタ７０４と無線通信することができる。患者装着センサ７０２は、無線接続７０８を介して、ベッドサイドモニタ７０４に患者のバイタルサイン情報を送信することができる。いくつかの実施形態では、患者装着センサ７０２は、ベッドサイドモニタ７０４に情報を送信する前に、収集されたバイタルサイン情報に関する処理を実行することができ、その一方で、いくつかの実施形態では、患者装着センサ７０２は、処理された情報の代わりに、又は処理された情報に加えて、生のバイタルサイン情報をベッドサイドモニタ７０４に送信することができる。ベッドサイドモニタ７０４は、タッチスクリーン入力を受けることができるタブレットなどの、タッチスクリーン装置である。いくつかの実施形態では、ベッドサイドモニタ７０４は、キーボード、マウス、入力ボタン、又は音声コマンドを認識できる１つ以上の装置からの入力を受信できる。いくつかの実施形態では、ベッドサイドモニタ７０４は、ベッドサイドモニタ７０４と無線通信する携帯電話などの装置を使用して制御される。いくつかの実施形態では、ベッドサイドモニタ７０４は「ヘッドレス」装置であって、直接的なユーザ入力及び／又は出力機能を備えず、患者装着センサ７０２から受信された生のバイタルサイン情報を処理し、警告状態を検出し、ベッドサイドモニタ７０４と通信する他の装置に警報を送信し、１つ以上の中央サーバ（例えば、図１の中央サーバ１１３）に患者情報を送信するための処理装置としてのみ機能する。そのような場合、ベッドサイドモニタ７０４はディスプレイを備えない。
【００８９】
ユーザインタフェース７０６は、患者装着センサ７０２に関連付けられた患者「Ｊｏｓｅｆ  Ａｌｂｅｒｓ」の情報を表示している。ユーザインタフェース７０６は、センサＩＤ０１２３４６７８９を有する患者装着センサ７０２が、ベッドサイドモニタ７０４と同期され、心拍数、呼吸数、体温、及び患者の位置／場所を含む患者情報を現在収集していることを、７１０において示している。ユーザインタフェース７０６は、（ユーザインタフェース７０６によって「センサ１」と識別された）患者装着センサ７０２の電池レベルが７５％であることを、７１２においてさらに示している。ユーザインタフェース７０６は、追加のセンサをベッドサイドモニタ７０４と同期させるため、又は他の機能を実行するために使用できる、選択可能な領域をさらに備えることができる。例えば、ユーザは、異なる患者に関連付けられた患者装着センサを、ベッドサイドモニタ７０４と同期させることを選択できる。
【００９０】
ベッドサイドモニタ７０４のユーザは、ベッドサイドモニタ７０４のタッチスクリーン機能、マウス、又は他の入力装置を使用して、ユーザインタフェース７０６の領域７１０を選択し、ベッドサイドモニタ７０４上に、患者装着センサ７０２（「センサ１」と表示される）に関連付けられた患者に関連する追加のディスプレイ画面を表示することができる。示された例では、ユーザインタフェース７０６の７１０を選択することで、患者「Ｊｏｓｅｆ  Ａｌｂｅｒｓ」に関連付けられた情報を有する１つ以上の追加のディスプレイ画面を表示することができる。
【００９１】
図７Ｂは、ベッドサイドモニタ７０４と無線通信する患者装着センサ７０２を備えるシステム７００を示し、ベッドサイドモニタ７０４は、例えば図１のシステム１００などの患者ケアシステムの情報を表示している。図７Ｂは、アダプタリードアセンブリ５００に接続された患者装着センサ７０２を示し、患者１０４に貼り付けられた状態で示されている。アダプタリードアセンブリ５００は、患者１０４の心臓付近の患者１０４の左上胸部に貼り付けられている。アダプタリードアセンブリ５００は、本明細書で図５Ａ及び図５Ｂを参照して記載されたような、耳センサ５０２を備える。
【００９２】
図７Ｂは、異なるアダプタリードアセンブリ５００が患者に接続され、ユーザインタフェース７０６が、インタフェース要素７２０及び７２２を備えることを除き、図７Ａに類似している。一例として、医療従事者が、図７Ａに示されるアダプタリードアセンブリ４００を、アダプタリードアセンブリ５００の使用に切り替えることを求めたと仮定する。アダプタリードアセンブリ５００が患者装着センサ７０２に接続されると、システムは、本明細書において説明される、アダプタリードアセンブリ５００に固有の特定の構成抵抗を使用する処理を通じ、新たなアダプタリードアセンブリが接続されたことを自動的に検出できる。１つの例示的な実施形態では、システムは、アダプタリードアセンブリ５００に関連するカスタマイズされたバイタルサイン測定値を自動的に表示し、この場合のアダプタリードアセンブリ５００は、図７Ｃに示す通り、耳用のオキシメータセンサを備えたＥＣＧセンサアセンブリである。
【００９３】
いくつかの実施形態では、図７Ｂに示す通り、システムは、自動的にバイタルサイン情報を表示する前に、まず、センサリードアセンブリの切り替えの意思確認を、医療従事者に促すことができる。例えば、図７Ｂに示す通り、インタフェース要素７２０において、新たなアダプタリードアセンブリ（例えば、「センサ２」）が接続されたことを通知する警報がユーザに示される。続いて、選択可能なインタフェース要素７２２がユーザに示され、ユーザは、ベッドサイドモニタ７０４の新たなセンサ（「センサ２」）への接続許可に対して、「はい」又は「いいえ」を選択することができる。ユーザが「はい」を選択した場合、ユーザインタフェース７０６は次に、図７Ｅに示す通り、「センサ２」用に構成された、更新されたユーザインタフェースに切り替わる。「いいえ」が選択された場合、システムは新たに検出されたリードアセンブリに接続しないように指示されているため、ユーザインタフェースは前の画面に戻るか、測定されていない画面に戻る。
【００９４】
いくつかの実施形態では、システムは、新たなリードアセンブリの接続を検出すると、続行して、ユーザインタフェース７０６を新たな構成データ画面に自動的に切り替えて、新たなリードアセンブリと相関するバイタルサインを表示する。例えば、アダプタリードアセンブリ５００が胸部センサ１０２と電気的に接続すると、システムは、特定のリードアセンブリの構成情報を分析及び特定し、ユーザインタフェースを、特定のリードアセンブリ用に設計された特定の構成のユーザインタフェースに、自動的に更新することができる。アダプタリードアセンブリ５００の構成（すなわち、耳パルスオキシメータを備えたＥＣＧセンサアセンブリ）用の例示的なスクリーンショットについて、図７Ｃを参照して以下で検討する。
【００９５】
図７Ｃは、ベッドサイドモニタ７０４と無線通信する患者装着センサ７０２を備えるシステム７００を示し、ベッドサイドモニタ７０４は、例えば図１のシステム１００などの患者ケアシステムの情報を表示している。図７Ｃは、アダプタリードアセンブリ５００に接続された患者装着センサ７０２を示し、患者１０４に貼り付けられた状態で示されている。アダプタリードアセンブリ５００は、患者１０４の心臓付近の患者１０４の左上胸部に貼り付けられている。アダプタリードアセンブリ５００は、本明細書で図５Ａ及び図５Ｂを参照して記載されたような、耳センサ５０２を備える。
【００９６】
図７Ｃは、オキシメータとして耳センサ５０２を備えた同一のアダプタリードアセンブリ５００を使用しており、ユーザインタフェース７０６が、中でも特に、バイタルサイン測定値領域７１６、７１８、及び７３０を備えることを除き、図７Ｂに類似している。例えば、医療従事者が、図７Ｂのアダプタリードアセンブリ５００に切り替えて新たなセンサとして承認した後、ベッドサイドモニタのユーザインタフェース７０６は、アダプタリードアセンブリ５００に関連するカスタマイズされたバイタルサイン測定値を自動的に表示し、この場合のアダプタリードアセンブリ５００は、耳用のオキシメータセンサを備えたショートリードＥＣＧセンサアセンブリである。
【００９７】
ユーザインタフェース７０６は、様々なバイタルサイン波形及び数値レベルをさらに表示する。例えば、ユーザインタフェース７０６は、患者の心拍波形７１４と共に、バイタルサイン測定値領域７１６に、患者の心拍数値を表示する。表示された例では、患者の心拍数値は１分間に８０拍である。バイタルサイン測定値領域７１６は、患者の許容可能な心拍数レベルが、１分間に５０拍から１２０拍までの間であることを示している。患者の現在の心拍数が１分間に８０拍であるのは、示された許容範囲内であり、現在、患者の心拍数に対する警告状態は存在しない。これは、同じくバイタルサイン測定値領域７１６内に、「Ｘ」記号が重ねられたベルのアイコン７１７で示される。アイコン７１７は、患者の現在の心拍数が許容範囲内であることを示す。患者の心拍数が許容レベル内にない状況では、アイコン７１７は変化して警告状態を示すことができる。例えば、アイコン７１７から「Ｘ」が消え、アイコン７１７は点灯又は点滅して警告状態を示してもよい。さらに、ベッドサイドモニタ７０４は、可聴アラームを発して近くの介護者に患者の警告状態を警告することができる。いくつかの実施形態では、ユーザインタフェース７０６の他の部分が点滅するか、あるいは別の方法で警告状態を示すことができる。例えば、患者の心拍数が許容レベル外である場合、表示される心拍数値は点滅してもよい。いくつかの実施形態では、アイコン７１７（又はユーザインタフェース７０６の他の部分）は、特定の警告状態の重大度を示すために、様々な速度で点滅することができる。例えば、アイコン７１７は、患者の心拍数が許容範囲から離れるほど速く点滅してもよい。
【００９８】
ユーザインタフェース７０６はまた、患者の血中酸素濃度波形７１５、及びバイタルサイン測定値領域７１８に血中酸素濃度数値を示す。ユーザインタフェース７０６はまた、患者の血中酸素濃度の許容範囲を示す。ユーザインタフェース７０６は、上記のアイコン７１７同様に、アイコン７１９をさらに備え、患者の血中酸素濃度レベルが許容範囲内であることを示す（警告が「オフ」であることを示す、ベルに重ねられた「Ｘ」記号によって示される）。
【００９９】
患者装着センサ７０２に取り付けられたセンサアセンブリに応じて、ユーザインタフェース７０６はまた、患者の血圧値用の、バイタルサイン測定値領域７３０を表示することもできる。示された例では、血圧値は、患者の現在の血圧が１２２／８０であることを示す。ユーザインタフェース７０６は、患者の血圧の許容範囲（例えば、「１６０」と「９０」）をさらに備える。バイタルサイン測定値領域７３０は、患者の血圧が許容範囲内である（警告が「オフ」であることを示す、ベルに重ねられた「Ｘ」記号によって示される）ことを示すアイコンをさらに備える。
【０１００】
ユーザインタフェース７０６は、患者の現在の方向、及び患者がどれくらいの時間現在の方向にいるかを示す、方向表示器７３１をさらに備える。方向表示器７３１は、患者が好ましい時間よりも長く現在の方向にいるかどうかを、介護者が識別することを助けることができる。方向表示器７３１はまた、患者が倒れて支援が必要であることを（例えば、警告が「オフ」であることを示す、可聴アラーム又は視覚アラームの使用を通して）示すのに使用することもできる。
【０１０１】
図７Ｄは、ベッドサイドモニタ７０４と無線通信する患者装着センサ７０２を備えるシステム７００を示し、ベッドサイドモニタ７０４は、例えば図１のシステム１００などの患者ケアシステムの情報を表示している。図７Ｄは、アダプタリードアセンブリ７５０に接続された患者装着センサ７０２（温度センサ７５２を備えたＥＫＧ構成）を示し、患者１０４に貼り付けられた状態で示されている。アダプタリードアセンブリ７５０は、患者１０４の心臓付近の患者１０４の左上胸部に貼り付けられている。
【０１０２】
図７Ｄは、異なるアダプタリードアセンブリ７５０が患者に接続され、ユーザインタフェース７０６が新たなセンサワークフローとの接続に切り替わることを除き、図７Ｂに類似しており、ユーザインタフェース７０６は、インタフェース要素７２０及び７２２を備える。一例として、医療従事者が、図７Ｂ及び図７Ｃに例示されるアダプタリードアセンブリ５００（すなわち、オキシメータとしての耳センサを備えたショートリードＥＫＧリードアセンブリ）から、アダプタリードアセンブリ７５０（すなわち、温度センサ７５２を備えたショートリードＥＫＧリードアセンブリ）の使用に切り替えることを求めたと仮定する。アダプタリードアセンブリ７５０が患者装着センサ７０２に接続されると、システムは、本明細書において説明される、アダプタリードアセンブリ５００に固有の特定の構成抵抗を使用する処理を通じ、新たなアダプタリードアセンブリが接続されたことを自動的に検出できる。１つの例示的な実施形態では、システムは、アダプタリードアセンブリ７５０に関連する、カスタマイズされたバイタルサイン測定値を自動的に表示し、この場合のアダプタリードアセンブリ７５０は、ＥＣＧセンサアセンブリである。
【０１０３】
いくつかの実施形態では、図７Ｄに示す通り、システムは、自動的にバイタルサイン情報を表示する前に、まず、センサリードアセンブリの切り替えの意思確認を、医療従事者に促すことができる。例えば、図７Ｂに示す通り、インタフェース要素７２０において、新たなアダプタリードアセンブリ（例えば、「センサ２」）が接続されたことを通知する警報がユーザに示される。続いて、選択可能なインタフェース要素７２２がユーザに示され、ユーザは、ベッドサイドモニタ７０４の新たなセンサ（「センサ２」、例えば、アダプタリードアセンブリ７５０）への接続許可に対して、「はい」又は「いいえ」を選択することができる。ユーザが「はい」を選択した場合、ユーザインタフェース７０６は次に、図７Ｅに示す通り、「センサ２」用に構成された、更新されたユーザインタフェースに切り替わる。「いいえ」が選択された場合、システムは新たに検出されたリードアセンブリに接続しないように指示されているため、ユーザインタフェースは前の画面に戻るか、測定されていない画面に戻る。
【０１０４】
図７Ｅは、ベッドサイドモニタ７０４と無線通信する患者装着センサ７０２を備えるシステム７００を示し、ベッドサイドモニタ７０４は、例えば図１のシステム１００などの患者ケアシステムの情報を表示している。図７Ｅは、アダプタリードアセンブリ７５０と接続された患者装着センサ７０２（すなわち、温度センサ７５２を備えたショートリードＥＫＧ構成、オキシメータ無し）を示し、患者１０４に貼り付けられた状態で示されている。アダプタリードアセンブリ７５０は、患者１０４の心臓付近の患者１０４の左上胸部に貼り付けられている。
【０１０５】
図７Ｅは、同じアダプタリードアセンブリ７５０を使用しており、ユーザインタフェース７０６が、中でも特に、バイタルサイン測定値領域７１６、７３０、及び７３２を備えることを除き、図７Ｄに類似している。例えば、医療従事者が、図７Ｂのアダプタリードアセンブリ５００に切り替えて新たなセンサとして承認した後、ベッドサイドモニタのユーザインタフェース７０６は、アダプタリードアセンブリ７５０に関連する、カスタマイズされたバイタルサイン測定値を自動的に表示し、この場合のアダプタリードアセンブリ７５０は、温度センサ７５２を備えたショートリードＥＣＧセンサアセンブリである。
【０１０６】
ユーザインタフェース７０６は、様々なバイタルサイン波形及び数値レベルを表示する。例えば、図７Ｃと同様に、ユーザインタフェース７０６は、患者の心拍波形７１４と共に、バイタルサイン測定値領域７１６に、患者の心拍数値を示す。リードアセンブリ７５０にオキシメータ（耳センサ）が取り付けられていないため、ユーザインタフェース７０６は、血中酸素濃度波形７１５、又は患者の血中酸素濃度値用のバイタルサイン測定値領域７１８を表示しない。ユーザインタフェース７０６はまた、血圧値用のバイタルサイン測定値領域７３０、ならびに患者の現在の方向及び患者が現在の方向にいる長さの表示を示す、方向表示器７３１を表示する。
【０１０７】
リードアセンブリ７５０は温度センサ７５２を備えるため、ユーザインタフェース７０６は、バイタルサイン測定値領域７３２に患者の体温数値を備える。示された例では、体温値は、患者の現在の体温が華氏１００．４度であることを示す。バイタルサイン測定値領域７３２は、患者の体温の許容範囲と、患者の体温が許容範囲内であることを示すアイコン（ベルに重ねられた「Ｘ」記号によって示される）とをまた備える。
【０１０８】
図７Ａから図７Ｅに示されたユーザインタフェース７０６は、提供されている例に限定されるものではない。ベッドサイドモニタ７０４のユーザインタフェース７０６は、センサアセンブリに応じて、バイタルサイン測定値、アラーム、表示器及び／又は異なるユーザインタフェーステンプレートを、いくつでも表示するようにプログラム可能である。いくつかの実施形態では、胸部センサ１０２と接続するアダプタ内に固有の構成抵抗２２０を備える、胸部センサ１０２と接続可能な別の種類の機器が使用されてもよい。例えば、患者装着センサ７０２及びベッドサイドモニタ７０４を備えるシステムの構成要素をテストするために、テストアセンブリに、特定の構成抵抗２２０が割り当てられてもよい。機器が患者装着センサ７０２に接続されると、システムは、固有の構成抵抗２２０から得られるＡＤＣ測定値から値の範囲を特定することができ、どの構成がそれら特定の値の範囲に相関するかを特定できる。複数のリードアセンブリの異なる構成を検出する処理の例を、図８及び図９を参照して以下に示す。
【０１０９】
図８は、患者の皮膚に貼付されるように構成されたセンサアセンブリのセンサアセンブリ構成を識別するための、例示的な処理のフロー図である。処理８００は、ベッドサイドモニタ１０８の制御プロセッサ１３０、又は任意の適切なデータ処理装置によって実行することができる。処理８００の動作は、非一時的なコンピュータ可読媒体に格納される命令として実装することができ、１つ以上のデータ処理装置は、１つ以上のデータ処理装置による命令の実行によって処理８００の動作を実行できる。
【０１１０】
処理８００は、特定のセンサアセンブリのセンサアセンブリデータを受信することを備える（８０２）。いくつかの実施形態では、ベッドサイドモニタ１０８の制御プロセッサ１３０は、胸部センサ１０２からデータを受信できる。例えば、データは、構成抵抗及び胸部センサ内の内部基準抵抗で形成される抵抗分圧器から生じ、ＡＤＣ回路１２０で測定された電圧から得られたＡＤＣ値を含むことができる。無線通信ユニット１２２及び１３２を介して、胸部センサ１０２からベッドサイドモニタ１０８に、データを送信することができる。ベッドサイドモニタ１０８に送信するために、ＡＤＣ値はプロトコルデータストリームに挿入されてもよい。
【０１１１】
いくつかの実施形態によれば、センサアセンブリデータには、基準電圧が印加されると、構成抵抗及び内部基準抵抗によって形成される抵抗分圧器から生じる測定電圧出力が含まれ、構成抵抗は、各センサアセンブリに対して固有である。いくつかの実施形態では、センサアセンブリデータには、特定の抵抗を指定する抵抗データが含まれる。
【０１１２】
処理８００は、複数のセンサアセンブリ識別子を定義するセンサアセンブリ識別子情報にアクセスすることをさらに備える（８０４）。例えば、ベッドサイドモニタ１０８の制御プロセッサ１３０は、記憶ユニット１３４からセンサアセンブリ識別子情報にアクセスすることができる。いくつかの実施形態では、記憶ユニット１３４は、測定電圧出力とアダプタアセンブリ識別子との間の関連値を含むマッピングデータを格納する。例えば、記憶ユニット１３４は、特定の構成に関連付けられたＡＤＣ値の範囲の構成データを格納する。いくつかの実施形態では、ベッドサイドモニタ１０８がサービス技術者から更新されたデータを受信した時、又はベッドサイドモニタ１０８が外部ネットワークに接続されている場合は、自動サービス更新を介して、記憶ユニット１３４は更新された構成データを受信することができる。
【０１１３】
処理８００は、センサアセンブリデータに基づき、特定のセンサアセンブリの特定のセンサアセンブリ識別子を識別することをさらに備える（８０６）。例えば、ベッドサイドモニタ１０８の制御プロセッサ１３０は、胸部センサ１０２のＡＤＣ回路１２０から受信したＡＤＣ値情報に基づき、記憶ユニット１３４にアクセスした後、センサアセンブリ識別子情報を識別することができる。
【０１１４】
処理８００は、特定のセンサアセンブリ識別子に基づき、特定のセンサアセンブリの構成情報を特定することをさらに備える（８０８）。いくつかの実施形態では、構成情報は、特定のセンサアセンブリのリードの数を備える。いくつかの実施形態では、構成情報は、特定のセンサアセンブリのハーネス構成の種類を備える。追加又は代替として、構成情報は、医療従事者が求め、ベッドサイドモニタにより提供可能な、センサアセンブリに必要な任意の種類の情報を備えることができる。例えば、各固有の構成は、ＥＣＧリードの数、センサアセンブリに取り付けられたセンサの種類、ＥＣＧリードへの測定値のマッピング及び関連する計算、特定の波形の表示内容、配置、グレー表示オプション、ならびに信号処理係数を指定することができる。したがって、ベッドサイドモニタ１０８の制御プロセッサ１３０は、胸部センサに接続された特定のセンサアセンブリを識別した後に、ベッドサイドモニタ１０８の特定の構成と、胸部センサ１０２からのデータ（例えば、リードの数又は測定の種類）の受信方法、そのデータの分析方法（例えば、信号処理係数）、及び／又はそのデータの表示方法（例えば、ＵＩレイアウト）とを特定するように構成される。
【０１１５】
いくつかの実施形態では、センサアセンブリは患者の皮膚に貼付されるように構成された電極アセンブリである。代替として、特定のセンサアセンブリの構成情報を特定するために、他のセンシング装置又は機器が使用されてもよい。例えば、識別子を使用する処理は、ヘルスケア環境における他の装置で使用することができ、あるいは産業などのヘルスケア環境外で使用されてもよい。異なる種類のセンサの構成を使用する、中央ユニットへの迅速なプラグアンドプレイ型の接続に役立つ任意の設定を、処理８００に適用することができる。例えば、公共事業会社の水道メータなどの、他のセンシング装置に迅速に接続するために、ＷｉＦｉ又はＢＬＵＥＴＯＯＴＨ(登録商標)技術を介したネットワークを使用するモバイル装置などが適用されてもよい。
【０１１６】
図９は、患者の皮膚に貼付されるように構成されたセンサアセンブリのセンサアセンブリ構成を識別するための、例示的な処理のフロー図である。処理９００は、胸部センサ１０２の制御プロセッサ１２３、又は任意の適切なデータ処理装置によって実行することができる。処理９００の動作は、非一時的なコンピュータ可読媒体に格納される命令として実装することができ、１つ以上のデータ処理装置は、１つ以上のデータ処理装置による命令の実行によって処理９００の動作を実行できる。
【０１１７】
処理９００は、基準ピンにおける基準電圧の生成を備える（９０２）。例えば、図３Ａ及び図３Ｂに示す通り、基準電圧（ＶＲＥＦ）は胸部センサ１０２で生成され、内部基準抵抗１２４を介して基準電圧ピン１２５と電気的に接続する。
【０１１８】
処理９００は、複数のアダプタの中の特定のアダプタがセンサに接続されると、センサの出力ピンで出力電圧を取得することをさらに備える（９０４）。例えば、図３Ａ及び図３Ｂに示す通り、アダプタリードアセンブリ２０２の構成抵抗２２０を介して電気接続がグランドに接続され、胸部センサ１０２がアダプタリードアセンブリ２０２と電気的に接続すると、ＡＤＣ回路１２０によって、胸部センサ１０２のピン１２１で出力電圧（ＶＯＵＴ）を測定することができる。胸部センサ１０２のピン１２５が、アダプタリードアセンブリ２０２のピン２２５に接続し、胸部センサ１０２のピン１２１が、アダプタリードアセンブリ２０２のピン２２１に接続すると、電気回路接続が行われる。アダプタリードアセンブリ２０２が胸部センサ１０２に接続され、基準電圧が印加されると、ＡＤＣ回路１２０は、構成抵抗２２０及び内部基準抵抗１２４によって形成される抵抗分圧器から生じる電圧出力を測定するように構成される。
【０１１９】
処理９００は、出力電圧に基づき特定のアダプタのセンサアセンブリ識別子を識別することをさらに備える（９０６）。例えば、胸部センサ１０２の制御プロセッサ１２３は、胸部センサ１０２のＡＤＣ回路１２０から受信したＡＤＣ値情報に基づき、センサアセンブリ識別子を識別できる。電圧測定値をアナログ測定値に変換するためにＡＤＣ回路１２０からＡＤＣ出力値を取得するので、構成要素の許容誤差及び測定ノイズによって、特定の構成は、１つの値ではなく値の範囲で表され得る。特定の構成はケース範囲によって設定することができ、各範囲はアプリケーション固有のパラメータを定義する。したがって、胸部センサ１０２の制御プロセッサ１２３は、センサアセンブリ識別子を値の変化内の１つの値として識別することができる。例えば、１５３（ロー）から１６１（ハイ）までの間のＡＤＣ測定値は、ＥＣＧ及び温度センサを備えたハーネスなどの特定の構成に使用されてもよい。
【０１２０】
処理９００は、複数のセンサアセンブリ識別子を定義するセンサアセンブリ識別子情報、及び各アダプタの構成情報にアクセスすることをさらに備える（９０８）。例えば、図３Ｂを参照して上記で検討したように、胸部センサ１０２の制御プロセッサ１２３は、記憶ユニット１２６からセンサアセンブリ識別子情報にアクセスすることができる。いくつかの実施形態では、記憶ユニット１２６は、測定電圧出力とアダプタアセンブリ識別子との間の関連値を含むマッピングデータを格納する。例えば、記憶ユニット１２６は、特定の構成に関連付けられたＡＤＣ値の範囲の構成データを格納する。いくつかの実施形態では、ベッドサイドモニタ１０８がサービス技術者から更新されたデータを受信した時、又はベッドサイドモニタ１０８が外部ネットワークに接続されている場合は、自動サービス更新を通じて、記憶ユニット１２６は更新された構成データを受信することができ、ベッドサイドモニタ１０８は、更新された情報を胸部センサ１０２の制御プロセッサ１２３に送信する。
【０１２１】
処理９００は、特定のセンサアセンブリ識別子に基づき、特定のアダプタの構成情報を特定することをさらに備える（９１０）。例えば、胸部センサ１０２の制御プロセッサ１２３は、まず、構成情報を特定し、通信ユニット１２２及び１３２を介して、その構成をベッドサイドモニタ１０８に送信することができる。いくつかの実施形態では、構成情報は、特定のセンサアセンブリのリードの数を備える。いくつかの実施形態では、構成情報は、特定のセンサアセンブリのハーネス構成の種類（例えば、身体装着センサ構成、衣服センサ構成、衣服センサの種類など）を備える。追加又は代替として、構成情報は、医療従事者が求め、ベッドサイドモニタにより提供可能な、センサアセンブリに必要な任意の種類の情報を備えることができる。例えば、各固有の構成は、ＥＣＧリードの数、センサアセンブリに取り付けられたセンサの種類、ＥＣＧリードへの測定値のマッピング及び関連する計算、特定の波形の表示内容、配置、グレー表示オプション、ならびに信号処理係数を指定することができる。したがって、胸部センサ１０２の制御プロセッサ１２３は、胸部センサに接続された特定のセンサアセンブリを識別した後に、ベッドサイドモニタ１０８が、胸部センサ１０２からデータ（例えば、リードの数又は測定の種類）を受信し、そのデータを分析し（例えば、信号処理係数）、及び／又は特定の方法でデータを表示する（例えば、ＵＩレイアウト）ための特定の構成を特定するように構成される。
【０１２２】
このように、主題の特定の実施形態が説明された。他の実施形態は、以下の特許請求の範囲内にある。場合によっては、特許請求の範囲に記載された動作は異なる順番で実行することができ、それでも望ましい結果を得ることができる。
【符号の説明】
【０１２３】
１００、７００…システム
１０２…胸部センサ
１０４、６０４…患者
１０８、７０４…ベッドサイドモニタ
１１０…介護者
１１２…ネットワーク
１１３…中央サーバ
１１４…中央サーバステーション
１１６…介護者
１２０…アナログ−デジタル変換（ＡＤＣ）回路
１２１、１２５、２２１、２２５…ピン
１２２、１３２…無線通信ユニット
１２３、１３０…制御プロセッサ
１２４…基準抵抗
１２５、２２５…ピン
１２６、１３４…記憶ユニット
２００…センサアセンブリ
２０２、４００、５００…アダプタリードアセンブリ
２０４、２１０、４１０、５１０、６１８…コネクタ
２０６…表示器
２０８…ディスプレイ画面
２１２ａ、２１２ｂ、２１２ｃ…リード電線
２２０…構成抵抗
３００Ａ、３００Ｂ…環境
４０２…指センサ
４０４、４０６、４０８ａ、４０８ｂ、５０４、５０６、５０８ａ、５０８ｂ…電極リード
５０２…耳センサ
６００…患者着用衣服
６０２…多層リードアセンブリ
６０６…ポケット
６０８ａ、６０８ｂ、６０８ｃ、６０８ｄ、６０８ｅ…延在部
６１６…アダプタケーブル
７０２…患者装着センサ
７０６…ユーザインタフェース
７０８…無線接続
７１０、７１２、７１６、７１８、７３０、７３２…領域
７１４…心拍波形
７１５…血中酸素濃度波形
７１７、７１９…アイコン
７２０、７２２…インタフェース要素
７３１…方向表示器
７５０…リードアセンブリ
７５２…温度センサ
８００、９００…処理
８０２、８０４、８０６、８０８、９０２、９０４、９０６、９０８、９１０…ステップ
【図１】
2020081894.tif 000003
【図２】
2020081894.tif 000004
【図３Ａ】
2020081894.tif 000005
【図３Ｂ】
2020081894.tif 000006
【図４】
2020081894.tif 000007
【図５】
2020081894.tif 000008
【図６】
2020081894.tif 000009
【図７Ａ】
2020081894.tif 000010
【図７Ｂ】
2020081894.tif 000011
【図７Ｃ】
2020081894.tif 000012
【図７Ｄ】
2020081894.tif 000013
【図７Ｅ】
2020081894.tif 000014
【図８】
2020081894.tif 000015
【図９】
2020081894.tif 000016